(57)【要約】本発明は、情報の送信方法、装置、記憶媒体、およびプロセッサを提供する。本発明における方法は、ネットワーク側が端末へ他のシステム情報における設定要求情報を送信し、他のシステム情報における設定要求情報は、他のシステム情報における要求情報の送信設定を含み、他のシステム情報における要求情報は、端末が他のシステム情報の取得を要求する時にネットワーク側へ送信する情報であることと、ネットワーク側が他のシステム情報における要求情報により指示される下り送信ポートで他のシステム情報を送信することと、を含む。
2020523948.tif 000002
【特許請求の範囲】
【請求項１】
ネットワーク側は、端末へ他のシステム情報における設定要求情報を送信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であることと、
ネットワーク側は、前記他のシステム情報における要求情報により指示される下り送信ポートで前記他のシステム情報を送信することと、を含む、情報の送信方法。
【請求項２】
前記他のシステム情報における設定要求情報は、残りの最小化システム情報により設定されるか、或いは、専用無線リソース制御ＲＲＣシグナリングにより設定される、請求項１に記載の情報の送信方法。
【請求項３】
前記他のシステム情報における要求情報は、システムにより予め定義された１つまたは複数のプリアンブルリソースで送信されるプリアンブルシーケンスであり、
前記プリアンブルリソースは、時間領域リソース、周波数領域リソース、コード領域リソースのうちの少なくとも１つを含む、請求項１に記載の情報の送信方法。
【請求項４】
前記他のシステム情報は、１種または複数種に分けられ、
１つのプリアンブルリソースは、１種の前記他のシステム情報に対応する、請求項３に記載の情報の送信方法。
【請求項５】
前記方法は、
前記ネットワーク側が他のシステム情報における要求情報から前記下り送信ポートおよび前記端末が要求する他のシステム情報のタイプを識別することをさらに含む、請求項１に記載の情報の送信方法。
【請求項６】
前記他のシステム情報における設定要求情報は、各種の他のシステム情報の送信周期、他のシステム情報の送信タイムウィンドウ、他のシステム情報の周波数領域位置、他のシステム情報における送信リソース情報、他のシステム情報が送信リソースで送信されるか否かこと、送信された他のシステム情報のタイプのうちの少なくとも１つをさらに含む、請求項１に記載の情報の送信方法。
【請求項７】
前記ネットワーク側が前記他のシステム情報における要求情報により指示される下り送信ポートで他のシステム情報を送信することは、
前記ネットワーク側が前記他のシステム情報の送信周期、前記他のシステム情報の送信タイムウィンドウ、および前記他のシステム情報の周波数領域位置に基づき、前記他のシステム情報における要求情報により指示される下り送信ポートで前記端末へ前記他のシステム情報を送信することを含む、請求項６に記載の情報の送信方法。
【請求項８】
前記他のシステム情報における設定要求情報は、ランダムアクセスレスポンスＲＡＲの受信設定をさらに含む、請求項１に記載の情報の送信方法。
【請求項９】
前記ネットワーク側が端末へ他のシステム情報における設定要求情報を送信することは、
前記ネットワーク側が前記他のシステム情報をランダムアクセスレスポンスＲＡＲに含ませて送信することを含む、請求項８に記載の情報の送信方法。
【請求項１０】
前記ランダムアクセスレスポンスは、前記他のシステム情報の送信周期、前記他のシステム情報の送信タイムウィンドウ、前記他のシステム情報の周波数領域位置、前記他のシステム情報における送信リソース情報、送信された他のシステム情報のタイプのうちの少なくとも１つをさらに含む、請求項８に記載の情報の送信方法。
【請求項１１】
前記ネットワーク側が、前記他のシステム情報の送信周期、前記他のシステム情報の送信タイムウィンドウ、および前記他のシステム情報の周波数領域位置に基づき、前記他のシステム情報を送信することを含む、請求項１０に記載の情報の送信方法。
【請求項１２】
端末は、ネットワーク側が送信した他のシステム情報における設定要求情報を受信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であることと、
前記端末は、ネットワーク側が前記他のシステム情報における要求情報により指示される下り送信ポートで送信した他のシステム情報を受信することと、を含む、情報の送信方法。
【請求項１３】
端末へ他のシステム情報における設定要求情報を送信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であるように構成される第１の送信モジュールと、
前記他のシステム情報における要求情報により指示される下り送信ポートで他のシステム情報を送信するように構成される第２の送信モジュールと、を含む、情報の送信装置。
【請求項１４】
他のシステム情報における要求情報から、前記下り送信ポート、および前記端末が要求する他のシステム情報のタイプを識別するように構成される識別モジュールをさらに含む、請求項１３に記載の情報の送信装置。
【請求項１５】
前記他のシステム情報における設定要求情報は、各種の他のシステム情報の送信周期、他のシステム情報の送信タイムウィンドウ、他のシステム情報の周波数領域位置、他のシステム情報における送信リソース設定情報、他のシステム情報が前記送信リソースで送信されるか否かこと、送信された他のシステム情報のタイプのうちの少なくとも１つをさらに含む、請求項１３に記載の情報の送信装置。
【請求項１６】
前記第２の送信モジュールは、さらに、前記他のシステム情報の送信周期、前記他のシステム情報の送信タイムウィンドウ、および前記他のシステム情報の周波数領域位置に基づき、前記他のシステム情報における要求情報により指示される下り送信ポートで前記他のシステム情報を送信するように構成される、請求項１５に記載の情報の送信装置。
【請求項１７】
前記他のシステム情報における設定要求情報は、ランダムアクセスレスポンスＲＡＲの受信設定をさらに含む、請求項１３に記載の情報の送信装置。
【請求項１８】
前記第２の送信モジュールは、さらに、前記他のシステム情報をランダムアクセスレスポンスＲＡＲに含ませて送信するように構成される、請求項１７に記載の情報の送信装置。
【請求項１９】
前記ランダムアクセスレスポンスは、前記他のシステム情報の送信周期、前記他のシステム情報の送信タイムウィンドウ、前記他のシステム情報の周波数領域位置、前記他のシステム情報における送信リソース情報、送信された他のシステム情報のタイプのうちの少なくとも１つを含む、請求項１７に記載の情報の送信装置。
【請求項２０】
前記第２の送信モジュールは、さらに、前記他のシステム情報の送信周期、前記他のシステム情報の送信タイムウィンドウ、および前記他のシステム情報の周波数領域位置に基づき、前記他のシステム情報を送信するように構成される、請求項１９に記載の情報の送信装置。
【請求項２１】
ネットワーク側が送信した他のシステム情報における設定要求情報を受信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であるように構成される第１の受信モジュールと、
ネットワーク側が前記他のシステム情報における要求情報により指示される下り送信ポートで送信した他のシステム情報を受信するように構成される第２の受信モジュールと、を含む、情報の送信装置。
【請求項２２】
記憶されたプログラムを含む記憶媒体であって、
前記プログラムが作動されると、請求項１〜１１のいずれか一項に記載の情報の送信方法を実行する、記憶媒体。
【請求項２３】
プログラムを実行するためのプロセッサであって、
前記プログラムが作動されると、請求項１〜１１のいずれか一項に記載の情報の送信方法を実行する、プロセッサ。
【発明の詳細な説明】
【技術分野】
【０００１】
本発明は、２０１７年０６月１５日に出願された中国特許出願：出願番号２０１７１０４５３１４３．１に対して当該中国特許出願の優先権の利益を主張するものであり、当該中国特許出願の内容のすべてがここで参照として本発明に援用される。
【０００２】
本発明は、通信分野に関し、具体的に、情報の送信方法、装置、記憶媒体およびプロセッサに関する。
【背景技術】
【０００３】
無線技術が絶えず発展することに伴い、様々な無線トラフィックは、大量に現れてきたが、無線トラフィックが依存するスペクトルリソースは、限られている。人々が帯域幅に対するニーズの増加に直面して、従来の商業通信に主に用いられる３００ＭＨｚ〜３ＧＨｚのスペクトルリソースは、極めて緊迫した状況を表しており、将来の無線通信に対するニーズを満たすことができない。
【０００４】
将来の無線通信では、第４世代（４Ｇ）通信システムが用いたキャリア周波数よりも高いキャリア周波数、例えば２８ＧＨｚ、４５ＧＨｚなどを用いて通信を行うようになる。このような高周波チャネルには、自在伝搬ロスが大きく、酸素ガスに吸収されやすく、雨水からの影響が大きいなどの欠陥を有するため、高周波通信システムのカバー性能に厳しい影響を及ぼしている。高周波通信およびロング・ターム・エボリューション（Ｌｏｎｇ  Ｔｉｍｅ  Ｅｖｏｌｕｔｉｏｎ、ＬＴＥと略称される）システムのカバレッジ内に近似する信号対干渉プラス雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲと略称される）を有することを確保するために、高周波通信のアンテナゲインを確保する必要がある。ありがたいことは、高周波通信に対応するキャリア周波数は、より短い波長を有するため、単位面積でより多くのアンテナエレメントを収容可能となることを確保することができる。また、より多くのアンテナエレメントは、ビームフォーミングの方法を用いてアンテナゲインを向上可能となることを意味することで、高周波通信のカバー性能を確保することができる。
【０００５】
ビームフォーミングの方法を用いた後、送信端は、送信エネルギーをある方向に集中させることができ、他の方向においてエネルギーが極めて小さいか、或いはエネルギーがない。つまり、各ビームは、自身の指向性を有し、一定の方向における端末だけをカバーすることができる。送信端である基地局は、全方向なカバーを完成するために、複数のビームを送信する必要がある。典型的には、ビームの数が数十乃至数百である。各方向において出現可能な端末のアクセスニーズを満たすために、システムブロードキャストメッセージの全方位カバーを実現しなければならず、通信サイトは、同様なシステムブロードキャストメッセージを各ビーム方向に繰り返し送信する必要がある。通信サイトに対して、システムブロードキャストメッセージの「絶対コスト」が大きくなるという問題が同様に存在する。
【０００６】
新世代の無線通信システム（Ｎｅｗ  Ｒａｄｉｏ、ＮＲと略称される）では、システム情報は、最小化システム情報（ｍｉｎｉｍｕｍ  ＳＩ）および他のシステム情報（ｏｔｈｅｒ  ＳＩ）に分けられている。そのうち、最小化システム情報は、さらに、物理報知チャネル（Ｐｈｙｓｉｃａｌ  Ｂｒｏａｄｃａｓｔ  Ｃｈａｎｎｅｌ、ＰＢＣＨと略称される）に運ばれた「メインシステム情報（ＭＩＢ）」、および物理下り共用チャネルに運ばれた「残りの最小化システム情報（Ｒｅｍａｉｎｉｎｇ  Ｍｉｎｉｍｕｍ  ＳＩ、ＲＭＳＩと略称される）」に分けられている。メインシステム情報は、セルの基本的なシステムパラメータを提供するために用いられ、残りの最小化システム情報は、初期アクセスに関連する設定情報、例えば初期アクセス要求の送信設定、初期アクセス応答メッセージの受信設定などを提供するために用いられる。他の報知・送信を必要とするシステム情報は、他のシステム情報と呼ばれる。従来のシステム（例えば、ＬＴＥシステム）との相違点は、新世代のシステムにおいて、より良い正方向互換性を取得しリソーススケジューリングの柔軟性を補強するために、常時オンライン（ａｌｗａｙｓ  ｏｎ  ｌｉｎｅ）情報の送信をできる限り低減させる必要がある。そのため、最小化システム情報は、周期的な形態で報知・送信され、他のシステム情報は、ニーズに応じて送信されるものである。
【０００７】
しかしながら、如何に他のシステム情報を要求するか、如何に送信するかに対して、現在、未だ実行可能な技術方案が提出されていない。
【発明の概要】
【発明が解決しようとする課題】
【０００８】
本発明の実施例は、関連技術において如何に他のシステム情報を送信するかに対する解決策が未だ存在していないという問題を少なくとも解決するために、情報の送信方法、装置、記憶媒体およびプロセッサを提供する。
【課題を解決するための手段】
【０００９】
本発明の一態様によれば、ネットワーク側は、端末へ他のシステム情報における設定要求情報を送信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であることと、ネットワーク側は、前記他のシステム情報における要求情報により指示される下り送信ポートで前記他のシステム情報を送信することと、を含む情報の送信方法が提供される。
【００１０】
好ましくは、前記他のシステム情報における設定要求情報は、残りの最小化システム情報により設定されるか、或いは、専用無線リソース制御ＲＲＣシグナリングにより設定される。
【００１１】
好ましくは、前記他のシステム情報における要求情報は、システムにより予め定義された１つまたは複数のプリアンブルリソースで送信されるプリアンブルシーケンスであり、前記プリアンブルリソースは、時間領域リソース、周波数領域リソース、コード領域リソースのうちの少なくとも１つを含む。
【００１２】
好ましくは、前記他のシステム情報は、１種または複数種に分けられ、１つのプリアンブルリソースは、１種の前記他のシステム情報に対応する。
【００１３】
好ましくは、前記方法は、前記ネットワーク側が他のシステム情報における要求情報から前記下り送信ポートおよび前記端末が要求する他のシステム情報のタイプを識別することをさらに含む。
【００１４】
好ましくは、前記他のシステム情報における設定要求情報は、各種の他のシステム情報の送信周期、他のシステム情報の送信タイムウィンドウ、他のシステム情報の周波数領域位置、他のシステム情報における送信リソース情報、他のシステム情報が送信リソースで送信されるか否かこと、送信された他のシステム情報のタイプのうちの少なくとも１つをさらに含む。
【００１５】
好ましくは、前記ネットワーク側が前記他のシステム情報における要求情報により指示される下り送信ポートで他のシステム情報を送信することは、前記ネットワーク側が前記他のシステム情報の送信周期、前記他のシステム情報の送信タイムウィンドウ、および前記他のシステム情報の周波数領域位置に基づき、前記他のシステム情報における要求情報により指示される下り送信ポートで前記端末へ前記他のシステム情報を送信することを含む。
【００１６】
好ましくは、前記他のシステム情報における設定要求情報は、ランダムアクセスレスポンスＲＡＲの受信設定をさらに含む。
【００１７】
好ましくは、前記ネットワーク側が端末へ他のシステム情報における設定要求情報を送信することは、前記ネットワーク側が、前記他のシステム情報をランダムアクセスレスポンスＲＡＲに含ませて送信することを含む。
【００１８】
好ましくは、前記ランダムアクセスレスポンスは、前記他のシステム情報の送信周期、前記他のシステム情報の送信タイムウィンドウ、前記他のシステム情報の周波数領域位置、前記他のシステム情報における送信リソース情報、送信された他のシステム情報のタイプのうちの少なくとも１つを含む。
【００１９】
好ましくは、前記ネットワーク側が前記他のシステム情報の送信周期、前記他のシステム情報の送信タイムウィンドウ、および他のシステム情報の周波数領域位置に基づき、前記他のシステム情報を送信することを含む。
【００２０】
本発明の他の態様によれば、端末は、ネットワーク側が送信した他のシステム情報における設定要求情報を受信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であることと、前記端末は、ネットワーク側が前記他のシステム情報における要求情報により指示される下り送信ポートで送信した他のシステム情報を受信することと、を含む情報の送信方法が提供される。
【００２１】
本発明の別の態様によれば、ネットワーク側に適用される情報の送信装置であって、端末へ他のシステム情報における設定要求情報を送信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であるように構成される第１の送信モジュールと、前記他のシステム情報における要求情報により指示される下り送信ポートで他のシステム情報を送信するように構成される第２の送信モジュールと、を含む情報の送信装置が提供される。
【００２２】
好ましくは、前記装置は、他のシステム情報における要求情報から、前記下り送信ポート、および前記端末が要求する他のシステム情報のタイプを識別するように構成される識別モジュールをさらに含む。
【００２３】
好ましくは、前記他のシステム情報における設定要求情報は、各種の他のシステム情報の送信周期、他のシステム情報の送信タイムウィンドウ、他のシステム情報の周波数領域位置、他のシステム情報における送信リソース設定情報、他のシステム情報が前記送信リソースで送信されるか否かこと、送信された他のシステム情報のタイプのうちの少なくとも１つをさらに含む。
【００２４】
好ましくは、前記第２の送信モジュールは、さらに、前記他のシステム情報の送信周期、タイムウィンドウ、および周波数領域位置に基づき、前記他のシステム情報における要求情報により指示される下り送信ポートで前記他のシステム情報を送信するように構成される。
【００２５】
好ましくは、前記他のシステム情報における設定要求情報は、ランダムアクセスレスポンスＲＡＲの受信設定をさらに含む。
【００２６】
好ましくは、前記第２の送信モジュールは、さらに、前記他のシステム情報をランダムアクセスレスポンスＲＡＲに含ませて送信するように構成される。
【００２７】
好ましくは、前記ランダムアクセスレスポンスは、前記他のシステム情報の送信周期、前記他のシステム情報の送信タイムウィンドウ、前記他のシステム情報の周波数領域位置、前記他のシステム情報における送信リソース情報、送信された他のシステム情報のタイプのうちの少なくとも１つを含む。
【００２８】
好ましくは、前記第２の送信モジュールは、さらに、前記他のシステム情報の送信周期、前記他のシステム情報の送信タイムウィンドウ、および前記他のシステム情報の周波数領域位置に基づき、前記他のシステム情報を送信するように構成される。
【００２９】
本発明の別の態様によれば、端末側に適用される情報の送信装置であって、ネットワーク側が送信した他のシステム情報における設定要求情報を受信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であるように構成される第１の受信モジュールと、ネットワーク側が前記他のシステム情報における要求情報により指示される下り送信ポートで送信した他のシステム情報を受信するように構成される第２の受信モジュールと、を含む情報の送信装置が提供される。
【００３０】
本発明の別の実施例によれば、記憶されたプログラムを含む記憶媒体であって、前記プログラムが作動されると、上述したいずれか一項に記載の方法を実行する記憶媒体がさらに提供される。
【００３１】
本発明の別の実施例によれば、プログラムを実行するように構成されるプロセッサであって、前記プログラムが作動されると、上述したいずれか一項に記載の方法を実行するプロセッサがさらに提供される。
【００３２】
本発明によれば、ネットワーク側は、端末へ他のシステム情報における設定要求情報を送信し、そのうち、他のシステム情報における設定要求情報は、他のシステム情報における要求情報の送信設定を含み、他のシステム情報における要求情報は、端末が他のシステム情報の取得を要求する時にネットワーク側へ送信する情報であり、さらにネットワーク側は、他のシステム情報における要求情報により指示される下り送信ポートで他のシステム情報を送信する。これから分かるように、ネットワーク側は、上述したステップによって他のシステム情報を端末側に効果的に送信することができ、関連技術における空白を埋め、関連技術において如何に他のシステム情報を送信するかに対する解決策が未だ存在していないという問題を解決することができる。
【００３３】
ここで説明される図面は、本発明をさらに理解したり、本発明の一部を構成したりするために用いられる。本発明の例示的な実施例およびその説明は、本発明を解釈するために用いられ、本発明を不適切に限定するものではない。
【図面の簡単な説明】
【００３４】
【図１】本発明の実施例に係る情報の送信方法における移動端末のハードウェアの構造ブロック図である。
【図２】本発明の実施例に係る情報の送信方法の第１のフローチャートである。
【図３】本発明の実施例に係る他のシステム情報における設定要求情報にｐｒｅａｍｂｌｅの送信設定が含まれる第１の模式図である。
【図４】本発明の実施例に係る他のシステム情報がＲＡＲに運ばれる模式図である。
【図５】本発明の実施例に係る他のシステム情報における設定要求情報にｐｒｅａｍｂｌｅの送信設定が含まれる第２の模式図である。
【図６】本発明の実施例に係る他のシステム情報が物理下り共用チャネルに運ばれる模式図である。
【図７】本発明の実施例に係る他のシステム情報における設定要求情報にｐｒｅａｍｂｌｅの送信設定が含まれる第３の模式図である。
【図８】本発明の実施例に係る情報の送信方法の第２のフローチャートである。
【図９】本発明の実施例に係る情報の送信装置の第１の構造ブロック図である。
【図１０】本発明の実施例に係る情報の送信装置の第２の構造ブロック図である。
【発明を実施するための形態】
【００３５】
以下は、図面を参照し、実施例を結び付けて本発明について詳細に説明する。なお、矛盾しない前提で、本発明における実施例および実施例における特徴は、互いに組み合わせることができる。
【００３６】
なお、本発明の明細書、特許請求の範囲、および上述した図面における「第１」、「第２」などの用語は、類似する対象を区別するために用いられるが、特定の順番または前後順番を説明するために用いられるものではない。
【００３７】
本発明の実施例１に係る方法実施例は、移動端末、コンピュータ端末または類似する計算装置において実行されてもよい。移動端末において実行されることを例として、図１は、本発明の実施例に係る情報の送信方法における移動端末のハードウェアの構造ブロック図である。図１に示すように、移動端末１０は、１つまたは複数（図１において１つしか示していない）のプロセッサ１０２（プロセッサ１０２は、マイクロプロセッサＭＣＵまたはプログラマブルロジックデバイスＦＰＧＡなどの処理装置を含んでもよいが、それに限定されない）、データを記憶するためのメモリ１０４、および通信機能用の伝送装置１０６を含んでもよい。当業者にとっては、図１に示す構造は、例示に過ぎず、上記電子装置の構造を限定するものではないことを理解すべきである。例えば、移動端末１０は、図１に示すものよりも多いか或いはそれよりも少ないアセンブリをさらに含んでもよく、或いは、図１に示すものと異なる構成を有してもよい。
【００３８】
メモリ１０４は、アプリケーションソフトウェアのソフトウェアプログラムおよびモジュール、例えば、本発明の実施例における情報の送信方法が対応するプログラム指令／モジュールを記憶するために用いられてもよく、プロセッサ１０２は、メモリ１０４に記憶されたソフトウェアプログラムおよびモジュールを実行することにより、各種の機能的アプリケーションおよびデータ処理を実行し、すなわち、上述した方法を実現する。メモリ１０４は、高速ランダムアクセスメモリを含んでもよいし、不揮発性メモリ、例えば１つまたは複数の磁気記憶装置、フラッシュメモリ、または他の不揮発性ソリッドステートメモリを含んでもよい。一部のインスタンスにおいて、メモリ１０４は、プロセッサ１０２に対して遠隔設定されたメモリをさらに含んでもよく、これらのリモートメモリは、ネットワークによって移動端末１０に接続されてもよい。前記ネットワークのインスタンスは、インターネット、イントラネット、ローカルエリア・ネットワーク、移動通信ネットワークおよびその組み合わせを含んだが、それに限定されない。
【００３９】
伝送装置１０６は、ネットワークを介してデータを受送信するために用いられる。前記ネットワークの具体的なインスタンスは、移動端末１０の通信事業者による無線ネットワークを含んでもよい。一つのインスタンスにおいて、伝送装置１０６は、基地局を介して他のネットワークデバイスに接続されてインターネットと通信可能なネットワークアダプタ（Ｎｅｔｗｏｒｋ  Ｉｎｔｅｒｆａｃｅ  Ｃｏｎｔｒｏｌｌｅｒ、ＮＩＣ）を含む。一つのインスタンスにおいて、伝送装置１０６は、無線形態でインターネットと通信するための無線周波数（Ｒａｄｉｏ  Ｆｒｅｑｕｅｎｃｙ、ＲＦ）モジュールであってもよい。
【００４０】
本発明の実施例は、図１に示すネットワークアーキテクチャーに実行されてもよい。図１に示すように、当該ネットワークアーキテクチャーは、Ａ、Ｂ、およびＣを含む。そのうち、Ａ、Ｂ、Ｃは、ＡＢＣの機能および相互関係を説明する。
【００４１】
本実施例において、ネットワークアーキテクチャーに実行される情報の送信方法が提供される。図２は、本発明の実施例に係る情報の送信方法の第１のフローチャートである。図２に示すように、当該フローは、
ネットワーク側は、端末へ他のシステム情報における設定要求情報を送信し、他のシステム情報における設定要求情報は、他のシステム情報における要求情報の送信設定を含み、他のシステム情報における要求情報は、端末が他のシステム情報の取得を要求する時にネットワーク側へ送信する情報であるステップＳ２０２と、
ネットワーク側は、他のシステム情報における要求情報により指示される下り送信ポートで他のシステム情報を送信するステップＳ２０４と、を含む。
【００４２】
上記ステップＳ２０２〜２０４によれば、ネットワーク側は、端末へ他のシステム情報における設定要求情報を送信し、そのうち、他のシステム情報における設定要求情報は、他のシステム情報における要求情報の送信設定を含み、他のシステム情報における要求情報は、端末が他のシステム情報の取得を要求する時にネットワーク側へ送信する情報であり、さらにネットワーク側は、他のシステム情報における要求情報により指示される下り送信ポートで他のシステム情報を送信する。これから分かるように、ネットワーク側は、上述したステップによって他のシステム情報を端末側に効果的に送信することができ、関連技術における空白を埋め、関連技術において如何に他のシステム情報を送信するかに対する解決策が未だ存在していないという問題を解決することができる。
【００４３】
好ましくは、上記ステップの実行主体であるネットワーク側は、基地局または他のネットワークエレメントなどであってもよいが、それに限定されない。
【００４４】
好ましくは、ステップＳ２０２とステップＳ２０４の実行順番は、互いに置換可能であり、すなわち、ステップＳ２０４を実行した後、Ｓ２０２を実行してもよい。
【００４５】
なお、本実施例に係る他のシステム情報における設定要求情報は、残りの最小化システム情報により設定されるか、或いは専用無線リソース制御ＲＲＣシグナリングにより設定される。
【００４６】
また、本実施例に係る他のシステム情報における要求情報は、システムにより予め定義された１つまたは複数のプリアンブルリソースで送信されるプリアンブルシーケンスである。そのうち、プリアンブルリソースは、時間領域リソース、周波数領域リソース、コード領域リソースのうちの少なくとも１つを含む。そのため、他のシステム情報が１種または複数種に分けられた場合、１つのプリアンブルリソースは、１種の他のシステム情報に対応する。
【００４７】
好ましくは、本実施例における方法は、
ネットワーク側が他のシステム情報における要求情報から下り送信ポート、および端末が要求する他のシステム情報のタイプを識別するステップＳ２０６をさらに含む。
【００４８】
また、本発明の他の好ましい実施形態において、本実施例に係る他のシステム情報における設定要求情報は、各種の他のシステム情報の送信周期、他のシステム情報の送信タイムウィンドウ、他のシステム情報の周波数領域位置、他のシステム情報における送信リソース情報、他のシステム情報が送信リソースで送信されるか否かこと、送信された他のシステム情報のタイプのうちの少なくとも１つをさらに含む。
【００４９】
上記他のシステム情報における設定要求情報に基づき、本実施例におけるステップＳ２０４で、ネットワーク側が他のシステム情報における要求情報により指示される下り送信ポートで他のシステム情報を送信する形態は、具体的な適用シナリオで、ネットワーク側が他のシステム情報の送信周期、タイムウィンドウ、および周波数領域位置に基づき、他のシステム情報における要求情報により指示される下り送信ポートで端末へ他のシステム情報を送信することであってもよい。
【００５０】
本実施例の別の好ましい実施形態において、本実施例に係る他のシステム情報における設定要求情報は、ランダムアクセスレスポンスＲＡＲの受信設定をさらに含む。それに基づき、本実施例に係るステップＳ２０２で、ネットワーク側が端末へ他のシステム情報における設定要求情報を送信する形態は、具体的な適応シナリオで、ネットワーク側が他のシステム情報をランダムアクセスレスポンスＲＡＲに含ませて送信することであってもよい。
【００５１】
そのうち、ランダムアクセスレスポンスは、他のシステム情報の送信周期、他のシステム情報の送信タイムウィンドウ、他のシステム情報の周波数領域位置、他のシステム情報における送信リソース情報、送信された他のシステム情報のタイプのうちの少なくとも１つをさらに含む。
【００５２】
当該ランダムアクセスレスポンスに基づき、本実施例における方法は、ネットワーク側が他のシステム情報の送信周期、他のシステム情報の送信タイムウィンドウ、および他のシステム情報の周波数領域位置に基づいて他のシステム情報を送信することをさらに含む。
【００５３】
本実施例では、ＲＭＳＩは、ｏｔｈｅｒ  ＳＩがｐｒｅａｍｂｌｅの送信設定を要求することを指示する。端末は、ＲＭＳＩにおける設定情報を取得した後、取得しようとするｏｔｈｅｒ  ＳＩに対応するｐｒｅａｍｂｌｅを送信し、ＲＡＲを受信し、要求されたｏｔｈｅｒ  ＳＩをＲＡＲから取得する。
【００５４】
本実施例において、
ｇＮＢは、ＵＥ１へ他のシステム情報における設定要求情報を送信するステップＳ１と、
ＵＥ１は、ｇＮＢへｐｒｅａｍｂｌｅをフィードバックするステップＳ２と、
ｇＮＢは、ＵＥ１へ他のシステム情報が運ばれているＲＡＲを送信するステップＳ３とを含む。
【００５５】
上記ステップＳ１〜ステップＳ３について、ｇＮＢは、残りの最小化システム情報ＲＭＳＩによって端末へ他のシステム情報（ｏｔｈｅｒ  ＳＩ）における設定要求情報を指示すると詳細に説明する。本実施例において、端末は、ランダムアクセス要求プリアンブルシーケンス（ｐｒｅａｍｂｌｅ）を送信することにより、基地局に対してｏｔｈｅｒ  ＳＩを要求する必要がある。そのため、他のシステム情報（ｏｔｈｅｒ  ＳＩ）における設定要求情報にｐｒｅａｍｂｌｅの送信設定が含まれる。図３は、本発明の実施例に係る他のシステム情報における設定要求情報にｐｒｅａｍｂｌｅの送信設定が含まれる第１の模式図である。図３に示すように、高周波のＲＭＳＩをビーム形態で送信する必要があるので、所望のカバレッジの完全なカバーを完成しようとする場合、異なるビーム方向において送信する必要がある。端末は、他のシステム情報を要求する場合、基地局が当該端末の所在するビーム方向（或いはポート）で前記他のシステム情報を送信するように、基地局へどの下り送信ビーム（またはポート）に所在するかを指示する必要がある。本実施例において、端末と基地局側の相互作用がいずれも成立すれば、ＲＭＳＩを下り送信するポートは、１つのｐｒｅａｍｂｌｅの時間・周波数領域リソースに一意に対応する。すなわち、端末は、ＲＭＳＩが対応するｐｒｅａｍｂｌｅの時間・周波数領域リソースでｐｒｅａｍｂｌｅを送信し、基地局において現在の端末が所在する下りビーム（またはポート）を判断することができる。例えば、端末は、ｂｅａｍ２でＲＭＳＩを受信した場合、ｂｅａｍ  ２におけるＲＭＳＩ設定に基づき、それに対応するｐｒｅａｍｂｌｅ  ｒｅｓｏｕｒｃｅがｐｒｅａｍｂｌｅ  ｒｅｓｏｕｒｃｅ  ２であることを分かり、端末は、ｐｒｅａｍｂｌｅ  ｒｅｓｏｕｒｃｅ  ２でｐｒｅａｍｂｌｅを送信する。それに応じて、基地局は、ｐｒｅａｍｂｌｅ  ｒｅｓｏｕｒｃｅ  ２でｐｒｅａｍｂｌｅを受信した場合、ｂｅａｍ２でのＵＥがｏｔｈｅｒ  ＳＩを必要とすることを確定し、続いて、基地局は、ｂｅａｍ２でｏｔｈｅｒ  ＳＩを送信する。
【００５６】
また、ｏｔｈｅｒ  ＳＩは、システムにより予め２種に分けられ、例えば、隣接セルの測定に関連するＳＩが第１種の他のシステム情報であり、残りの他のシステム情報が第２種の他のシステム情報である。且つ、ｏｔｈｅｒ  ＳＩの要求に専用する２つのｐｒｅａｍｂｌｅシーケンスリソースが予め定義され、シーケンス１は、第１種の他のシステム情報に対応し、シーケンス２は、第２種の他のシステム情報に対応する。この際に、端末は、隣接セルの測定に関連する他のシステム情報を要求しようとする場合、シーケンス１を選択して送信する。
【００５７】
さらに、図４は、本発明の実施例に係る他のシステム情報がＲＡＲに運ばれる模式図である。図４に示すように、ｐｒｅａｍｂｌｅ  ｒｅｓｏｕｒｃｅ  ２で端末が送信したｏｔｈｅｒ  ＳＩ要求に専用するｐｒｅａｍｂｌｅシーケンス１を受信した場合、基地局は、ｂｅａｍ２が対応するＲＡＲのみにおいて隣接セルの測定に関連するｏｔｈｅｒ  ＳＩを含む。
【００５８】
ｏｔｈｅｒ  ＳＩ要求情報を送信した端末は、ネットワーク側が設定したＲＡＲの受信設定に基づき、ＲＡＲを受信し、所望のｏｔｈｅｒ  ＳＩをＲＡＲから取得する。
【００５９】
端末がＲＡＲを受信する場合、対応するスロットにおける物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨと略称される）のサーチスペースにおいてＲＡ−ＲＮＴＩでＤＣＩをブラインド検出し、ＤＣＩからランダムアクセスレスポンス情報におけるスケジューリング情報を取得し、スケジューリング情報に基づいてランダムアクセスレスポンス情報を受信し、さらにランダムアクセスレスポンス情報に含まれたｏｔｈｅｒ  ＳＩを取得する。
【００６０】
図５は、本発明の実施例に係る他のシステム情報における設定要求情報にｐｒｅａｍｂｌｅの送信設定が含まれる第２の模式図である。図５に示すように、基地局側の相互作用が成立せず、ＵＥ側の相互作用が成立すると、基地局側の下り送信ポート（ビーム）は、基地局側の上り受信ポート（ビーム）に一意に対応することができず、端末側の下り受信ポート（ビーム）は、上り送信ポート（ビーム）に一意に対応することができる。この際に、下り送信ビームｂｅａｍ２に対応するｐｒｅａｍｂｌｅ送信の時間・周波数リソースが複数であるため、基地局は、異なる受信ポートで、端末によるｐｒｅａｍｂｌｅ送信を受信することができる。つまり、基地局は、複数のｐｒｅａｍｂｌｅ送信の時間・周波数リソースで受信ポート（ビーム方向）を切り換え、端末の送信ポート（ビーム）を不変に維持させるままで、基地局側の受信ポートのポーリングを行う。
【００６１】
ＵＥ側の相互作用が成立せず、基地局側の相互作用が成立すると、端末側の下り受信ポート（ビーム）は、上り送信ポート（ビーム）に一意に対応することができず、基地局側の下り送信ポート（ビーム）は、基地局側の上り受信ポート（ビーム）に一意に対応することができる。この際に、ｐｒｅａｍｂｌｅを送信する場合、ＵＥは、基地局側が受信できるために、複数の上り送信ポート（ビーム）によってｐｒｅａｍｂｌｅを繰り返し送信する必要がある。この場合、１つの下り送信ポート（ビーム）に対して複数の対応するｐｒｅａｍｂｌｅ送信の時間・周波数リソースを定義する必要もある。端末は、異なるｐｒｅａｍｂｌｅ送信の時間・周波数リソースで送信ポート（ビーム）を切り換え、基地局側における受信ポート（ビーム）を不変に維持させるままで、端末側の送信ポートのポーリングを行う。
【００６２】
他の場合は、ＵＥ側および基地局側の相互作用がいずれも成立しないことである。この際に、より多くのｐｒｅａｍｂｌｅ送信の時間・周波数リソースおよび１つの下り送信ポート（ビーム）を定義する必要がある。すなわち、一定のルールに応じて端末側の送信ポート（ビーム）と基地局側の受信ポート（ビーム）の組み合わせポーリングを完成し、例えば、まず、基地局側の受信ポートのポーリングを行い、すなわち連続する複数のｐｒｅａｍｂｌｅリソースで、基地局側は、受信ポート（ビーム）を切り換え、端末は、送信ポート（ビーム）を不変に維持させる。基地局の受信ポートのポーリングを１回行った後、端末は、他の１つの送信ポート（ビーム）に切り換え、基地局は、ポーリング受信を行い、このように繰り返し、端末のすべての送信ポートと基地局側の受信ポートのいずれの組み合わせ送信を完成する。
【００６３】
なお、上述した各種の場合で、定義されたこのグループのｐｒｅａｍｂｌｅ送信の時間・周波数リソースは、いずれもある下り送信ポートに対応する。すなわち、基地局は、これらのリソースのいずれか１つにおいて端末が送信したｏｔｈｅｒ  ＳＩ要求ｐｒｅａｍｂｌｅを受信するため、当該ＵＥが所在する下り送信ポート（ビーム方向）を確定し、且つ対応するポートでｏｔｈｅｒ  ＳＩを送信することができる。
【００６４】
本実施例において、ＲＭＳＩまたはＲＲＣ専用シグナリングから、ｏｔｈｅｒ  ＳＩ要求情報の送信設定、および各種のｏｔｈｅｒ  ＳＩの周期、送信タイムウィンドウ、周波数領域位置が指示される。端末は、ＲＭＳＩにおける設定情報を取得した後、取得しようとするｏｔｈｅｒ  ＳＩが対応するｐｒｅａｍｂｌｅを送信する。所定のタイムウィンドウ内にＰＤＣＣＨをブラインド検出する。
【００６５】
具体的な実施形態において、方法ステップは、
ｇＮＢは、ＵＥ１へ他のシステム情報における設定要求情報を送信するステップＳ１と、
ＵＥ１は、ｇＮＢへｐｒｅａｍｂｌｅをフィードバックするステップＳ２と、
ｇＮＢは、ＵＥ１へ、他のシステム情報が運ばれている物理下り共用チャネル（Ｐｈｙｓｉｃａｌ  Ｄｏｗｎｌｉｎｋ  Ｓｈａｒｅ  Ｃｈａｎｎｅｌ、ＰＤＳＣＨと略称される）を送信するステップＳ３と、を含む。
【００６６】
本具体的な実施例におけるＳ１〜Ｓ３に対して、基地局ｇＮＢは、端末へ他のシステム情報（ｏｔｈｅｒ  ＳＩ）における設定要求情報を送信する。そのうち、前記他のシステム情報（ｏｔｈｅｒ  ＳＩ）における設定要求情報は、他のシステム情報における要求情報の送信設定、およびｏｔｈｅｒ  ＳＩの送信周期、タイムウィンドウ、周波数領域位置を含み、前記他のシステム情報における要求情報とは、端末が他のシステム情報の取得を要求する時にネットワーク側へ送信する情報である。
【００６７】
具体的には、ｇＮＢは、残りの最小化システム情報（ＲＭＳＩ）によって端末へ他のシステム情報（ｏｔｈｅｒ  ＳＩ）における設定要求情報を指示する。本実施例において、端末は、ランダムアクセス要求プリアンブルシーケンス（ｐｒｅａｍｂｌｅ）を送信することによって基地局に対してｏｔｈｅｒ  ＳＩを要求する必要があるため、他のシステム情報（ｏｔｈｅｒ  ＳＩ）における設定要求情報にｐｒｅａｍｂｌｅの送信設定が含まれる。図３に示すように、高周波のＲＭＳＩをビーム形態で送信する必要があるので、すなわち所望のカバレッジの完全なカバーを完成しようとする場合、異なるビーム方向において送信する必要がある。端末は、他のシステム情報を要求する場合、基地局が当該端末の所在するビーム方向（或いはポート）で前記他のシステム情報を送信するように、基地局へどの下り送信ビーム（またはポート）に所在するかを指示する必要がある。本実施例において、端末と基地局側の相互作用がいずれも成立すれば、ＲＭＳＩを下り送信するポートは、１つのｐｒｅａｍｂｌｅの時間・周波数領域リソースに一意に対応する。すなわち、端末は、ＲＭＳＩが対応するｐｒｅａｍｂｌｅの時間・周波数領域リソースでｐｒｅａｍｂｌｅを送信し、基地局において現在の端末が所在する下りビーム（またはポート）を判断することができる。例えば、端末は、ｂｅａｍ２でＲＭＳＩを受信した場合、ｂｅａｍ  ２におけるＲＭＳＩ設定に基づき、それに対応するｐｒｅａｍｂｌｅ  ｒｅｓｏｕｒｃｅがｐｒｅａｍｂｌｅ  ｒｅｓｏｕｒｃｅ  ２であることを分かり、端末は、ｐｒｅａｍｂｌｅ  ｒｅｓｏｕｒｃｅ  ２でｐｒｅａｍｂｌｅを送信する。それに応じて、基地局は、ｐｒｅａｍｂｌｅ  ｒｅｓｏｕｒｃｅ  ２でｐｒｅａｍｂｌｅを受信した場合、ｂｅａｍ２でのＵＥがｏｔｈｅｒ  ＳＩを必要とすることを確定し、続いて、基地局は、ｂｅａｍ２でｏｔｈｅｒ  ＳＩを送信する。
【００６８】
また、ｏｔｈｅｒ  ＳＩは、システムにより予め複数種に分けられ、各種の他のシステム情報は、１つの専用ｐｒｅａｍｂｌｅシーケンスに対応する。端末および基地局は、いずれも、上記他のシステム情報の区分形態、および各種の他のシステム情報と専用ｐｒｅａｍｂｌｅシーケンスとの対応関係を分かることができる。この際に、ある他のシステム情報を要求しようとする場合、端末は、この他のシステム情報が対応するｐｒｅａｍｂｌｅシーケンスを選択して送信する。
【００６９】
さらに、図６は、本発明の実施例に係る他のシステム情報が物理下り共用チャネルに運ばれる模式図である。図６に示すように、従属する端末がｏｔｈｅｒ  ＳＩを取得しようとする場合、基地局は、予め定義されたｏｔｈｅｒ  ＳＩ周期に基づき、一定の送信タイムウィンドウ内に送信する。ｏｔｈｅｒ  ＳＩの送信タイムウィンドウ内に１つまたは複数のスロットＳｌｏｔが含まれる。
【００７０】
端末は、ＲＭＳＩから取得されたｏｔｈｅｒ  ＳＩの送信周期（例えば、送信周期が１６０ｍｓである）、送信タイムウィンドウ（送信タイムウィンドウは、無線フレームレベルであってもよい。例えば、送信タイムウィンドウは、システムフレーム番号（ＳＦＮ）（ＳＦＮ  ｍｏｄ  １６＝１または２）で表され、すなわち、システムフレーム番号が１６に対してモジュローオペレーションを行うことによって得た１または２である連続する２つの無線フレームは、１つの送信タイムウィンドウを表す。さらに、送信タイムウィンドウは、サブフレーム粒度であってもよく、システムフレーム番号を基に、送信タイムウィンドウにどちらのサブフレームが含まれるかをさらに指示する必要がある。）、および周波数領域位置に基づき、所定の周波数領域位置、および送信タイムウィンドウの各ｓｌｏｔ内にＳＩ−ＲＮＴＩを用いて物理下り制御チャネル（ＰＤＣＣＨ）において下り制御情報（ＤＣＩ）をブラインド検出することで、このｓｌｏｔ内の物理下り共用チャネル（ＰＤＳＣＨ）において端末が要求したｏｔｈｅｒ  ＳＩが運ばれているか否かを確定する。端末は、ｏｔｈｅｒ  ＳＩの送信タイムウィンドウ内のあるｓｌｏｔにおいてｏｔｈｅｒ  ＳＩを取得する。
【００７１】
端末がｏｔｈｅｒ  ＳＩを要求する下り送信ポート（ビーム）が複数である場合、基地局は、ｏｔｈｅｒ  ＳＩ送信ニーズがある複数の下り送信ポート（ビーム）でｏｔｈｅｒ  ＳＩを送信するため、基地局は、どのｓｌｏｔでどのポート（ビーム）のｏｔｈｅｒ  ＳＩを送信するかを柔軟に確定することができる。また、異なる端末により要求されるｏｔｈｅｒ  ＳＩのタイプは、異なってもよいし、異なるポート（ビーム）が対応するｓｌｏｔ内に運ばれるｏｔｈｅｒ  ＳＩのタイプは、異なってもよい。
【００７２】
本実施例において、端末と基地局側の相互作用がいずれも成立すれば、実施例２と類似するように、ある一方側または両側の相互作用が成立しない場合、より多くのｐｒｅａｍｂｌｅリソースを設定して下り送信ポート（ビーム）に対応させて、ある一方側または両側のポート（ビーム）のポーリング送信を完成する。
【００７３】
本実施例において、ＲＭＳＩまたはＲＲＣ専用シグナリングから、ｏｔｈｅｒ  ＳＩ要求情報の送信設定、および各種のｏｔｈｅｒ  ＳＩの周期、送信タイムウィンドウ、周波数領域位置が指示される。端末は、ＲＭＳＩにおける設定情報を取得した後、取得しようとするｏｔｈｅｒ  ＳＩが対応するｐｒｅａｍｂｌｅを送信する。所定のタイムウィンドウ内にＰＤＣＣＨをブラインド検出する。
【００７４】
上記実施例との区別は、以下の通りである。基地局ｇＮＢが端末へ送信した他のシステム情報（ｏｔｈｅｒ  ＳＩ）における設定要求情報に他のシステム情報における要求情報の送信設定、およびｏｔｈｅｒ  ＳＩの送信リソース設定情報（例えば、周波数領域位置、時間領域の具体的なｓｌｏｔ情報）が含まれる。図７は、本発明の実施例に係る他のシステム情報における設定要求情報にｐｒｅａｍｂｌｅの送信設定が含まれる第３の模式図である。図７に示すように、ＲＭＳＩにおいて、ＲＭＳＩが所在する下りポート（ビーム）に対応するｐｒｅａｍｂｌｅリソース、および後続のｏｔｈｅｒ  ＳＩの送信リソースが直接に設定される。この際に、端末は、送信タイムウィンドウ内に各ｓｌｏｔ内の下り制御情報をブラインド検出することによってｏｔｈｅｒ  ＳＩが含まれるか否かを確定する必要がなく、直接に所定のｓｌｏｔ内にＤＣＩをブラインド検出し、ＤＣＩからｏｔｈｅｒ  ＳＩのＰＤＳＣＨにおけるスケジューリング情報を得、スケジューリング情報に基づいてｏｔｈｅｒ  ＳＩを受信する。
【００７５】
なお、このような形態で、ＲＭＳＩから指示されるｏｔｈｅｒ  ＳＩ送信リソースは、予め設定されたリソースに過ぎず、対応する端末がｏｔｈｅｒ  ＳＩを要求する場合、予め設定されたリソースで要求されたｏｔｈｅｒ  ＳＩを送信する。ある下りポート（ビーム）においてｏｔｈｅｒ  ＳＩを要求する端末がない場合、予め設定されたｏｔｈｅｒ  ＳＩリソースを用いて他の情報を送信し、予備する必要がない。
【００７６】
本実施例において、ＲＭＳＩまたはＲＲＣ専用シグナリングから、ｏｔｈｅｒ  ＳＩ要求情報の送信設定、およびｏｔｈｅｒ  ＳＩの送信リソース設定情報が指示される。端末は、ＲＭＳＩにおける設定情報を取得した後、取得しようとするｏｔｈｅｒ  ＳＩが対応するｐｒｅａｍｂｌｅを送信する。所定のｏｔｈｅｒの送信リソースにおいて下り制御情報をブラインド検出する。
【００７７】
本実施例において、方法ステップは、
ｇＮＢは、ＵＥ１へ他のシステム情報における設定要求情報を送信するステップＳ１と、
ＵＥ１は、ｇＮＢへｐｒｅａｍｂｌｅをフィードバックするステップＳ２と、
ｇＮＢは、ＵＥ１へＲＡＲを送信するステップＳ３と、
ｇＮＢは、ＵＥ１へ他のシステム情報が運ばれているＰＤＳＣＨを送信するステップＳ４と、を含む。
【００７８】
上記ステップＳ１〜ステップＳ４に対して、具体的には、基地局ｇＮＢは、端末へ他のシステム情報（ｏｔｈｅｒ  ＳＩ）における設定要求情報を送信する。そのうち、前記他のシステム情報（ｏｔｈｅｒ  ＳＩ）における設定要求情報は、他のシステム情報における要求情報の送信設定、およびランダムアクセスレスポンスの受信設定を含み、前記他のシステム情報における要求情報とは、端末が他のシステム情報の取得を要求する時にネットワーク側へ送信する情報である。
【００７９】
具体的には、ｇＮＢは、残りの最小化システム情報（ＲＭＳＩ）によって端末へ他のシステム情報（ｏｔｈｅｒ  ＳＩ）における設定要求情報を指示する。本実施例において、端末は、ランダムアクセス要求プリアンブルシーケンス（ｐｒｅａｍｂｌｅ）を送信することによって基地局にｏｔｈｅｒ  ＳＩを要求する必要があるため、他のシステム情報（ｏｔｈｅｒ  ＳＩ）における設定要求情報にｐｒｅａｍｂｌｅの送信設定が含まれる。図３に示すように、高周波のＲＭＳＩをビーム形態で送信する必要があるので、すなわち所望のカバレッジの完全なカバーを完成しようとする場合、異なるビーム方向において送信する必要がある。端末は、他のシステム情報を要求する場合、基地局が当該端末の所在するビーム方向（或いはポート）で前記他のシステム情報を送信するように、基地局へどの下り送信ビーム（またはポート）に所在するかを指示する必要がある。本実施例において、端末と基地局側の相互作用がいずれも成立すれば、ＲＭＳＩを下り送信するポートは、１つのｐｒｅａｍｂｌｅの時間・周波数領域リソースに一意に対応する。すなわち、端末は、ＲＭＳＩが対応するｐｒｅａｍｂｌｅの時間・周波数領域リソースでｐｒｅａｍｂｌｅを送信し、基地局において現在の端末が所在する下りビーム（またはポート）を判断することができる。例えば、端末は、ｂｅａｍ２でＲＭＳＩを受信した場合、ｂｅａｍ  ２におけるＲＭＳＩ設定に基づき、それに対応するｐｒｅａｍｂｌｅ  ｒｅｓｏｕｒｃｅがｐｒｅａｍｂｌｅ  ｒｅｓｏｕｒｃｅ  ２であることを分かり、端末は、ｐｒｅａｍｂｌｅ  ｒｅｓｏｕｒｃｅ  ２でｐｒｅａｍｂｌｅを送信する。それに応じて、基地局は、ｐｒｅａｍｂｌｅ  ｒｅｓｏｕｒｃｅ  ２でｐｒｅａｍｂｌｅを受信した場合、ｂｅａｍ２でのＵＥがｏｔｈｅｒ  ＳＩを必要とすることを確定し、続いて、基地局は、ｂｅａｍ２でｏｔｈｅｒ  ＳＩを送信する。
【００８０】
また、ｏｔｈｅｒ  ＳＩは、システムにより予め複数種に分けられ、各種の他のシステム情報は、１つの専用ｐｒｅａｍｂｌｅシーケンスに対応する。端末および基地局は、いずれも、上記他のシステム情報の区分形態、および各種の他のシステム情報と専用ｐｒｅａｍｂｌｅシーケンスとの対応関係を分かることができる。この際に、ある他のシステム情報を要求しようとする場合、端末は、この他のシステム情報が対応するｐｒｅａｍｂｌｅシーケンスを選択して送信する。
【００８１】
基地局は、受信したｐｒｅａｍｂｌｅシーケンスに基づき、どちらの下り送信ポート（ビーム）でどちらのｏｔｈｅｒ  ＳＩを送信する必要があるかを確定する。この際に、基地局は、これらのｏｔｈｅｒ  ＳＩを送信するリソース、例えばｏｔｈｅｒ  ＳＩの送信周期、タイムウィンドウ、および周波数領域位置をさらに確定するとともに、これらの情報をランダムアクセスレスポンス（ＲＡＲ）に含ませて端末にフィードバックし、上記ｏｔｈｅｒ  ＳＩのリソース設定に応じてｏｔｈｅｒ  ＳＩを送信することができる。
【００８２】
ｏｔｈｅｒ  ＳＩ要求を送信した端末は、まずＲＡＲを受信し、ｏｔｈｅｒ  ＳＩのリソース設定を確定する。さらに、本実施例において、他のシステム情報が物理下り共用チャネルに運ばれている。具体的には、ｏｔｈｅｒ  ＳＩの送信タイムウィンドウ内に１つまたは複数のスロットＳｌｏｔが含まれる。端末は、ＲＡＲから取得されたｏｔｈｅｒ  ＳＩの送信周期、タイムウィンドウ、および周波数領域位置に基づき、所定の周波数領域位置、および送信タイムウィンドウの各ｓｌｏｔ内にＳＩ−ＲＮＴＩを用いて物理下り制御チャネル（ＰＤＣＣＨ）において下り制御情報（ＤＣＩ）をブラインド検出することで、このｓｌｏｔ内の物理下り共用チャネル（ＰＤＳＣＨ）において端末が要求したｏｔｈｅｒ  ＳＩが運ばれているか否かを確定する。端末は、ｏｔｈｅｒ  ＳＩの送信タイムウィンドウ内のあるｓｌｏｔ内にｏｔｈｅｒ  ＳＩを取得する。
【００８３】
端末がｏｔｈｅｒ  ＳＩを要求する下り送信ポート（ビーム）が複数である場合、基地局は、ｏｔｈｅｒ  ＳＩ送信ニーズがある複数の下り送信ポート（ビーム）でｏｔｈｅｒ  ＳＩを送信し、基地局は、どちらのｓｌｏｔでどちらのポート（ビーム）のｏｔｈｅｒ  ＳＩを送信するかを柔軟に確定することができる。また、異なる端末により要求されるｏｔｈｅｒ  ＳＩのタイプは、異なってもよいし、異なるポート（ビーム）が対応するｓｌｏｔ内に運ばれるｏｔｈｅｒ  ＳＩのタイプは、異なってもよい。
【００８４】
本実施例において、端末と基地局側の相互作用がいずれも成立すれば、実施例と類似するように、ある一方側または両側の相互作用が成立しない場合、より多くのｐｒｅａｍｂｌｅリソースを設定して下り送信ポート（ビーム）に対応させて、ある一方側または両側のポート（ビーム）のポーリング送信を完成する。
【００８５】
本実施例において、ＲＭＳＩからｏｔｈｅｒ  ＳＩ要求ｐｒｅａｍｂｌｅの送信設定が指示される。端末は、ＲＭＳＩにおける設定情報を取得した後、取得しようとするｏｔｈｅｒ  ＳＩが対応するｐｒｅａｍｂｌｅを送信する。ＲＡＲを受信し、各種のｏｔｈｅｒ  ＳＩの周期、送信タイムウィンドウ、および周波数領域位置をＲＡＲから取得し、所定のタイムウィンドウ内にＰＤＣＣＨをブラインド検出する。
【００８６】
本実施例において、方法ステップは、
ｇＮＢは、ＵＥ１へ他のシステム情報における設定要求情報を送信するステップＳ１と、
ＵＥ１は、ｇＮＢへｐｒｅａｍｂｌｅをフィードバックするステップＳ２と、
ｇＮＢは、ＵＥ１へＲＡＲを送信するステップＳ３と、
ｇＮＢは、ＵＥ１へ他のシステム情報が運ばれているＰＤＳＣＨを送信するステップＳ４と、を含む。
【００８７】
上記ステップＳ１〜ステップＳ４に対して、基地局ｇＮＢは、端末へ他のシステム情報（ｏｔｈｅｒ  ＳＩ）における設定要求情報を送信する。そのうち、前記他のシステム情報（ｏｔｈｅｒ  ＳＩ）における設定要求情報は、他のシステム情報における要求情報の送信設定、およびランダムアクセスレスポンスの受信設定を含み、前記他のシステム情報における要求情報とは、端末が他のシステム情報の取得を要求する時にネットワーク側へ送信する情報である。
【００８８】
具体的には、ｇＮＢは、残りの最小化システム情報（ＲＭＳＩ）によって端末へ他のシステム情報（ｏｔｈｅｒ  ＳＩ）における設定要求情報を指示する。本実施例において、端末は、ランダムアクセス要求プリアンブルシーケンス（ｐｒｅａｍｂｌｅ）を送信することによって基地局にｏｔｈｅｒ  ＳＩを要求する必要があるため、他のシステム情報（ｏｔｈｅｒ  ＳＩ）における設定要求情報にｐｒｅａｍｂｌｅの送信設定が含まれる。図３に示すように、高周波のＲＭＳＩをビーム形態で送信する必要があるので、すなわち所望のカバレッジの完全なカバーを完成しようとする場合、異なるビーム方向において送信する必要がある。端末は、他のシステム情報を要求する場合、基地局が当該端末の所在するビーム方向（或いはポート）で前記他のシステム情報を送信するように、基地局へどの下り送信ビーム（またはポート）に所在するかを指示する必要がある。本実施例において、端末と基地局側の相互作用がいずれも成立すれば、ＲＭＳＩを下り送信するポートは、１つのｐｒｅａｍｂｌｅの時間・周波数領域リソースに一意に対応する。すなわち、端末は、ＲＭＳＩが対応するｐｒｅａｍｂｌｅの時間・周波数領域リソースでｐｒｅａｍｂｌｅを送信し、基地局において現在の端末が所在する下りビーム（またはポート）を判断することができる。例えば、端末は、ｂｅａｍ２でＲＭＳＩを受信した場合、ｂｅａｍ  ２におけるＲＭＳＩ設定に基づき、それに対応するｐｒｅａｍｂｌｅ  ｒｅｓｏｕｒｃｅがｐｒｅａｍｂｌｅ  ｒｅｓｏｕｒｃｅ  ２であることを分かり、端末は、ｐｒｅａｍｂｌｅ  ｒｅｓｏｕｒｃｅ  ２でｐｒｅａｍｂｌｅを送信する。それに応じて、基地局は、ｐｒｅａｍｂｌｅ  ｒｅｓｏｕｒｃｅ  ２でｐｒｅａｍｂｌｅを受信した場合、ｂｅａｍ２でのＵＥがｏｔｈｅｒ  ＳＩを必要とすることを確定し、続いて、基地局は、ｂｅａｍ２でｏｔｈｅｒ  ＳＩを送信する。
【００８９】
また、ｏｔｈｅｒ  ＳＩは、システムにより予め複数種に分けられ、各種の他のシステム情報は、１つの専用ｐｒｅａｍｂｌｅシーケンスに対応する。端末および基地局は、いずれも、上記他のシステム情報の区分形態、および各種の他のシステム情報と専用ｐｒｅａｍｂｌｅシーケンスとの対応関係を分かることができる。この際に、ある他のシステム情報を要求しようとする場合、端末は、この他のシステム情報が対応するｐｒｅａｍｂｌｅシーケンスを選択して送信する。
【００９０】
基地局は、受信したｐｒｅａｍｂｌｅシーケンスに基づき、どちらの下り送信ポート（ビーム）でどちらのｏｔｈｅｒ  ＳＩを送信する必要があるかを確定する。この際に、基地局は、これらのｏｔｈｅｒ  ＳＩを送信するリソース、例えばｏｔｈｅｒ  ＳＩの送信周期、タイムウィンドウ、および周波数領域位置をさらに確定するとともに、これらの情報をランダムアクセスレスポンス（ＲＡＲ）に含ませて端末にフィードバックし、上記ｏｔｈｅｒ  ＳＩのリソース設定に応じてｏｔｈｅｒ  ＳＩを送信することができる。
【００９１】
ｏｔｈｅｒ  ＳＩ要求を送信した端末は、まずＲＡＲを受信し、ｏｔｈｅｒ  ＳＩのリソース設定を確定する。さらに、本実施例において、他のシステム情報が物理下り共用チャネルに運ばれている。具体的には、ｏｔｈｅｒ  ＳＩの送信タイムウィンドウ内に１つまたは複数のスロットＳｌｏｔが含まれる。端末は、ＲＡＲから取得されたｏｔｈｅｒ  ＳＩの送信周期、タイムウィンドウ、および周波数領域位置に基づき、所定の周波数領域位置、および送信タイムウィンドウの各ｓｌｏｔ内にＳＩ−ＲＮＴＩを用いて物理下り制御チャネル（ＰＤＣＣＨ）において下り制御情報（ＤＣＩ）をブラインド検出することで、このｓｌｏｔ内の物理下り共用チャネル（ＰＤＳＣＨ）において端末が要求したｏｔｈｅｒ  ＳＩが運ばれているか否かを確定する。端末は、ｏｔｈｅｒ  ＳＩの送信タイムウィンドウ内のあるｓｌｏｔ内にｏｔｈｅｒ  ＳＩを取得する。
【００９２】
端末がｏｔｈｅｒ  ＳＩを要求する下り送信ポート（ビーム）が複数である場合、基地局は、ｏｔｈｅｒ  ＳＩ送信ニーズがある複数の下り送信ポート（ビーム）でｏｔｈｅｒ  ＳＩを送信し、基地局は、どちらのｓｌｏｔでどちらのポート（ビーム）のｏｔｈｅｒ  ＳＩを送信するかを柔軟に確定することができる。また、異なる端末により要求されるｏｔｈｅｒ  ＳＩのタイプは、異なってもよいし、異なるポート（ビーム）が対応するｓｌｏｔ内に運ばれるｏｔｈｅｒ  ＳＩのタイプは、異なってもよい。
【００９３】
本実施例において、端末と基地局側の相互作用がいずれも成立すれば、実施例と類似するように、ある一方側または両側の相互作用が成立しない場合、より多くのｐｒｅａｍｂｌｅリソースを設定して下り送信ポート（ビーム）に対応させて、ある一方側または両側のポート（ビーム）のポーリング送信を完成する。
【００９４】
本実施例において、ＲＭＳＩからｏｔｈｅｒ  ＳＩ要求ｐｒｅａｍｂｌｅ送信設定が指示される。端末は、ＲＭＳＩにおける設定情報を取得した後、取得しようとするｏｔｈｅｒ  ＳＩが対応するｐｒｅａｍｂｌｅを送信する。ＲＡＲを受信し、ｏｔｈｅｒ  ＳＩの送信リソース設定情報をＲＡＲから取得し、所定のｏｔｈｅｒの送信リソース設定情報において下り制御情報をブラインド検出する。
【００９５】
本実施例のフローが上記実施例と一致し、その区別は、以下の通りである。基地局は、ＲＡＲから、ｏｔｈｅｒ  ＳＩの送信リソース設定情報であって後続のｏｔｈｅｒ  ＳＩの具体的な送信リソースを直接に指示する。この際に、端末は、送信タイムウィンドウ内に各ｓｌｏｔ内の下り制御情報をブラインド検出することによってｏｔｈｅｒ  ＳＩが含まれるか否かを確定する必要がなく、直接に所定のｓｌｏｔ内にＤＣＩをブラインド検出し、ＤＣＩからｏｔｈｅｒ  ＳＩのＰＤＳＣＨにおけるスケジューリング情報を得、スケジューリング情報に基づいてｏｔｈｅｒ  ＳＩを受信する。
【００９６】
なお、当該他のシステム情報（ｏｔｈｅｒ  ＳＩ）における設定要求情報は、それぞれ、残りの最小化システム情報（ＲＭＳＩ）により設定され、専用ＲＲＣ情報により設定されてもよい。
【００９７】
本実施例において、以下の３種の仕組みが共存し、端末は、他のシステム情報（ｏｔｈｅｒ  ＳＩ）における設定要求情報の受信に基づいてｏｔｈｅｒ  ＳＩの取得形態を確定する。
【００９８】
仕組み１：
他のシステム情報（ｏｔｈｅｒ  ＳＩ）における設定要求情報に、他のシステム情報における要求情報の送信設定（ｐｒｅａｍｂｌｅの送信設定）、およびｏｔｈｅｒ  ＳＩの送信周期、タイムウィンドウ、周波数領域位置などの情報が含まれる。端末は、ｏｔｈｅｒ  ＳＩにおける設定要求情報を取得した後、ｐｒｅａｍｂｌｅの送信設定に基づいてｐｒｅａｍｂｌｅを送信し、下り送信ビーム、および取得しようとするｏｔｈｅｒ  ＳＩのタイプを基地局へ指示し、ｏｔｈｅｒ  ＳＩの送信タイムウィンドウ内の各ｓｌｏｔのＰＤＣＣＨにおいてｏｔｈｅｒ  ＳＩのＤＣＩをブラインド検出する必要があることを黙認し、ＤＣＩに運ばれたｏｔｈｅｒ  ＳＩのスケジューリング情報に基づき、ＰＤＳＣＨ内に運ばれたｏｔｈｅｒ  ＳＩを受信する。
【００９９】
仕組み２：
他のシステム情報（ｏｔｈｅｒ  ＳＩ）における設定要求情報にｏｔｈｅｒ  ＳＩの送信周期、タイムウィンドウ、および周波数領域位置などの情報が含まず、ｏｔｈｅｒ  ＳＩにおける要求情報の送信設定、およびランダムアクセスレスポンスＲＡＲの受信設定が含まれる場合、端末は、ＲＡＲの受信設定に基づき、ＲＡＲを受信し、さらにｏｔｈｅｒ  ＳＩのスケジューリング情報を取得する必要があることを黙認する。この際に、ＲＡＲに含まれたｏｔｈｅｒ  ＳＩのスケジューリング情報は、ｏｔｈｅｒ  ＳＩの送信周期、タイムウィンドウ、および周波数領域位置などの情報であってもよいか、或いは、ｏｔｈｅｒ  ＳＩの具体的なスケジューリング情報（すなわち、ｏｔｈｅｒ  ＳＩがどちらのｓｌｏｔ内に運ばれるかことに具体化する）であってもよい。前者であれば、端末は、依然としてｏｔｈｅｒ  ＳＩの送信タイムウィンドウ内の各ｓｌｏｔのＰＤＣＣＨにおいてｏｔｈｅｒ  ＳＩのＤＣＩをブラインド検出し、ＤＣＩに運ばれたｏｔｈｅｒ  ＳＩのスケジューリング情報に基づき、ＰＤＳＣＨ内に運ばれたｏｔｈｅｒ  ＳＩを受信する必要がある。ＲＡＲにおけるｏｔｈｅｒ  ＳＩのスケジューリング情報がｏｔｈｅｒ  ＳＩの具体的なスケジューリング情報であれば、端末は、直接に、スケジューリング情報により指示されるｓｌｏｔ内のＰＤＣＣＨにおいてＤＣＩをブラインド検出し、ＤＣＩに運ばれたｏｔｈｅｒ  ＳＩのスケジューリング情報に基づき、ＰＤＳＣＨ内に運ばれたｏｔｈｅｒ  ＳＩを受信する。
【０１００】
仕組み３：
他のシステム情報（ｏｔｈｅｒ  ＳＩ）における設定要求情報に、ｏｔｈｅｒ  ＳＩ要求情報の送信設定、ｏｔｈｅｒ  ＳＩの送信周期、タイムウィンドウ、および周波数領域位置などの情報が含まれ、さらにランダムアクセスレスポンスＲＡＲの受信設定が含まれる場合、端末は、ｏｔｈｅｒ  ＳＩ要求情報の送信設定に応じてｐｒｅａｍｂｌｅを送信した後、以下の２つのオプションがある。オプション１は、ｏｔｈｅｒ  ＳＩの送信タイムウィンドウ内の各ｓｌｏｔのＰＤＣＣＨにおいてｏｔｈｅｒ  ＳＩのＤＣＩをブラインド検出し、ＤＣＩに運ばれたｏｔｈｅｒ  ＳＩのスケジューリング情報に基づいてＰＤＳＣＨ内に運ばれたｏｔｈｅｒ  ＳＩを受信することである。オプション２は、ＲＡＲの受信を試してもよく、受信したＲＡＲに具体的なスケジューリング情報があれば、タイムウィンドウ内の複数のｓｌｏｔに対するブラインド検出を回避し、直接にスケジューリング情報により指示されるｓｌｏｔ内のＰＤＣＣＨにおいてＤＣＩをブラインド検出し、ＤＣＩに運ばれたｏｔｈｅｒ  ＳＩのスケジューリング情報に基づいてＰＤＳＣＨ内に運ばれたｏｔｈｅｒ  ＳＩを受信することができる。ＲＡＲを受信していない場合、オプション１に基づいてタイムウィンドウ内の複数のｓｌｏｔをブラインド検出する。
【０１０１】
なお、本実施例は、情報の送信方法をさらに提供する。図８は、本発明の実施例に係る情報の送信方法の第２のフローチャートである。当該方法ステップは、
端末は、ネットワーク側が送信した他のシステム情報における設定要求情報を受信し、他のシステム情報における設定要求情報は、他のシステム情報における要求情報の送信設定を含み、他のシステム情報における要求情報は、端末が他のシステム情報の取得を要求する時にネットワーク側へ送信する情報であるステップＳ８０２と、
端末は、ネットワーク側が他のシステム情報における要求情報により指示される下り送信ポートで送信した他のシステム情報を受信するステップＳ８０４と、を含む。
【０１０２】
本実施例において、言及する他のシステム情報における設定要求情報、および他のシステム情報における要求情報などの関連記載は、いずれも上記実施例と一致し、ここで繰り返し説明しない。
【０１０３】
上述した実施例の説明により、当業者にとっては、上述した実施例に係る方法は、ソフトウェアプラス必要となる汎用ハードウェアプラットフォームの形態で実現されてもよく、もちろんハードウェアで実現されてもよいが、多数の場合で、前者がより良い実施形態であることをはっきりと知ることができる。このような理解を基に、本発明の技術方案、或いは従来技術に貢献する部分は、実質的に、ソフトウェア製品の形態で表現されてもよい。当該コンピュータソフトウェア製品は、１つの記憶媒体（例えば、ＲＯＭ／ＲＡＭ、磁気ディスク、コンパクトディスク）に記憶され、１台の端末機器（携帯電話、コンピュータ、サーバー、またはネットワーク機器などであってもよい）が本発明の各実施例に記載される方法を実行するために用いられる幾つかの指令を含む。
【０１０４】
本実施例において情報の送信装置がさらに提供される。当該装置は、上述した実施例および好ましい実施形態を実現するために用いられ、既に説明されたものについて繰り返し説明しない。以下に用いられる「モジュール」という用語とは、所定の機能を実現できるソフトウェアおよび／またはハードウェアの組み合わせを指す。以下の実施例に記載される装置は、ソフトウェアで実現されることが好ましいが、ハードウェア、またはソフトウェアとハードウェアの組み合わせによる実現は、可能で、構想されるものである。
【０１０５】
図９は、本発明の実施例に係る情報の送信装置の第１の構造ブロック図である。当該装置は、ネットワーク側に適用される。図９に示すように、当該装置は、
【０１０６】
端末へ他のシステム情報における設定要求情報を送信し、他のシステム情報における設定要求情報は、他のシステム情報における要求情報の送信設定を含み、他のシステム情報における要求情報は、端末が他のシステム情報の取得を要求する時に前記ネットワーク側へ送信する情報であるように構成される第１の送信モジュール９２と、
第１の送信モジュール９２にカップリング接続され、他のシステム情報における要求情報により指示される下り送信ポートで他のシステム情報を送信するように構成される第２の送信モジュール９４と、を含む。
【０１０７】
なお、本実施例に係る他のシステム情報における設定要求情報は、残りの最小化システム情報により設定されるか、或いは専用無線リソース制御ＲＲＣシグナリングにより設定される。
【０１０８】
また、本実施例に係る他のシステム情報における要求情報は、システムにより予め定義された１つまたは複数のプリアンブルリソースで送信するプリアンブルシーケンスである。そのうち、プリアンブルリソースは、時間領域、周波数領域、コード領域リソースのうちの少なくとも１つを含む。そのため、他のシステム情報が１種または複数種に分けられた場合、１つのプリアンブルリソースは、１種の他のシステム情報に対応する。
【０１０９】
好ましくは、本実施例における装置は、第２の送信モジュール９４にカップリング接続され、他のシステム情報における要求情報から下り送信ポート、および端末が要求する他のシステム情報のタイプを識別するように構成される識別モジュール９６をさらに含む。
【０１１０】
また、本発明の他の好ましい実施形態において、本実施例に係る他のシステム情報における設定要求情報は、各種の他のシステム情報の送信周期、他のシステム情報の送信タイムウィンドウ、他のシステム情報の周波数領域位置、他のシステム情報における送信リソース情報、他のシステム情報が送信リソースで送信されるか否かこと、送信された他のシステム情報のタイプのうちの少なくとも１つをさらに含む。
【０１１１】
上記他のシステム情報における設定要求情報を基に、本実施例における第２の送信モジュール９４は、さらに、他のシステム情報の送信周期、他のシステム情報の送信タイムウィンドウ、および他のシステム情報の周波数領域位置に基づき、他のシステム情報における要求情報により指示される下り送信ポートで他のシステム情報を送信するように構成される。
【０１１２】
本実施例の別の好ましい実施形態において、本実施例に係る他のシステム情報における設定要求情報は、ランダムアクセスレスポンスＲＡＲの受信設定をさらに含む。それを基に、本実施例における第２の送信モジュール９４は、さらに、他のシステム情報をランダムアクセスレスポンスＲＡＲに含ませて送信するように構成される。
【０１１３】
そのうち、当該ランダムアクセスレスポンスは、他のシステム情報の送信周期、他のシステム情報の送信タイムウィンドウ、他のシステム情報の周波数領域位置、他のシステム情報における送信リソース情報、送信された他のシステム情報のタイプのうちの少なくとも１つをさらに含む。
【０１１４】
当該ランダムアクセスレスポンスを基に、本実施例における第２の送信モジュール９４は、さらに、他のシステム情報の送信周期、タイムウィンドウ、および周波数領域位置に基づいて他のシステム情報を送信するように構成される。
【０１１５】
なお、上述した各モジュールは、ソフトウェアまたはハードウェアにより実現され、後者に対しては、上述したモジュールがそれぞれ同一のプロセッサに位置するか、或いは上述した各モジュールがいずれの組み合わせの形態でそれぞれ異なるプロセッサに位置するように実現されてもよいが、それに限定されない。また、本実施例は、方法実施例１に対応する装置実施例である。
【０１１６】
図１０は本発明の実施例に係る情報の送信装置の第２の構造ブロック図である。当該装置は端末側に適用される。図１０に示すように、当該装置は、
ネットワーク側が送信した他のシステム情報における設定要求情報を受信し、他のシステム情報における設定要求情報は、他のシステム情報における要求情報の送信設定を含み、他のシステム情報における要求情報は、端末が他のシステム情報の取得を要求する時にネットワーク側へ送信する情報であるように構成される第１の受信モジュール３１と、
第１の受信モジュール３１にカップリング接続され、ネットワーク側が他のシステム情報における要求情報により指示される下り送信ポートで送信した他のシステム情報を受信するように構成される第２の受信モジュール３２を含む。
【０１１７】
本発明の実施例は、記憶されたプログラムを含む記憶媒体であって、上記プログラムが作動されると、上述したいずれか一項に記載の方法を実行する記憶媒体をさらに提供する。
【０１１８】
好ましくは、本実施例において、上記記憶媒体は、
端末へ他のシステム情報における設定要求情報を送信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であるＳ１と、
前記他のシステム情報における要求情報により指示される下り送信ポートで他のシステム情報を送信するＳ２と、を実行するためのプログラムコードを記憶するように構成されてもよい。
【０１１９】
好ましくは、本実施例において、上述した記憶媒体は、Ｕフラッシュドライブ、読み取り専用メモリ（Ｒｅａｄ−Ｏｎｌｙ  Ｍｅｍｏｒｙ、ＲＯＭと略称される）、ランダムアクセスメモリ（Ｒａｎｄｏｍ  Ａｃｃｅｓｓ  Ｍｅｍｏｒｙ、ＲＡＭと略称される）、モバイルハードディスク、磁気ディスクまたはコンパクトディスクなどのプログラムコードを記憶可能な媒体を含んでもよいが、それに限定されない。
【０１２０】
本発明の実施例は、プログラムを実行するためのプロセッサであって、当該プログラムが作動されると、上述したいずれか一項に記載の方法におけるステップを実行するプロセッサをさらに提供する。
【０１２１】
好ましくは、本実施例において、上記プログラムは、
端末へ他のシステム情報における設定要求情報を送信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であるＳ１と、
前記他のシステム情報における要求情報により指示される下り送信ポートで他のシステム情報を送信するＳ２とを実行するために用いられる。
【０１２２】
好ましくは、本実施例における具体的な例示は、上記実施例および好ましい実施形態に説明された例示を参照してもよく、ここで繰り返し説明しない。
【０１２３】
明らかに、当業者であれば、上述した本発明の各モジュールまたは各ステップは、汎用の計算装置により実現されてもよく、これらは単一の計算装置に集積されてもよいか、或いは２つの計算装置からなるネットワークに分布されてもよく、好ましくは、これらは計算装置の実行可能プログラムコードで実現されてもよいことで、記憶装置に記憶されて計算装置により実行されてもよく、且つある場合に、ここでの順番と異なるもので、示されているか或いは記載されているステップを実行してもよく、或いはこれらをそれぞれ各集積回路モジュールとして製作し、或いはこれらうちの２つのモジュールまたはステップを単一の集積回路モジュールとして製作することにより実現されてもよいことを理解すべきである。このように、本発明は、いずれの特定のハードウェアとソフトウェアとの組み合わせに限定されない。
【０１２４】
以上の説明は、本発明の好ましい実施例に過ぎず、本発明を限定するためのものではない。当業者にとって、本発明は、様々な変更および変化を行うことができる。本発明の原則以内に行われるいずれの修正、等価置換、改良などは、本発明の保護範囲に含まれるべきである。    
【産業上の利用可能性】
【０１２５】
本発明の実施例によれば、ネットワーク側は、端末へ他のシステム情報における設定要求情報を送信し、そのうち、他のシステム情報における設定要求情報は、他のシステム情報における要求情報の送信設定を含み、他のシステム情報における要求情報は、端末が他のシステム情報の取得を要求する時にネットワーク側へ送信する情報であり、さらにネットワーク側は、他のシステム情報における要求情報により指示される下り送信ポートで他のシステム情報を送信する。これから分かるように、ネットワーク側は、他のシステム情報を端末側に効果的に送信することができ、関連技術において如何に他のシステム情報を送信するかに対する解決策が未だ存在していないという問題を解決することができる。
【図１】
2020523948.tif 000003
【図２】
2020523948.tif 000004
【図３】
2020523948.tif 000005
【図４】
2020523948.tif 000006
【図５】
2020523948.tif 000007
【図６】
2020523948.tif 000008
【図７】
2020523948.tif 000009
【図８】
2020523948.tif 000010
【図９】
2020523948.tif 000011
【図１０】
2020523948.tif 000012
【手続補正書】
【提出日】令和2年1月23日(2020.1.23)
【手続補正１】
【補正対象書類名】明細書
【補正対象項目名】全文
【補正方法】変更
【補正の内容】
【発明の詳細な説明】
【技術分野】
【０００１】
本発明は、２０１７年０６月１５日に出願された中国特許出願：出願番号２０１７１０４５３１４３．１に対して当該中国特許出願の優先権の利益を主張するものであり、当該中国特許出願の内容のすべてがここで参照として本発明に援用される。
【０００２】
本発明は、通信分野に関し、具体的に、情報の送信方法、装置、記憶媒体およびプロセッサに関する。
【背景技術】
【０００３】
無線技術が絶えず発展することに伴い、様々な無線トラフィックは、大量に現れてきたが、無線トラフィックが依存するスペクトルリソースは、限られている。人々が帯域幅に対するニーズの増加に直面して、従来の商業通信に主に用いられる３００ＭＨｚ〜３ＧＨｚのスペクトルリソースは、極めて緊迫した状況を表しており、将来の無線通信に対するニーズを満たすことができない。
【０００４】
将来の無線通信では、第４世代（４Ｇ）通信システムが用いたキャリア周波数よりも高いキャリア周波数、例えば２８ＧＨｚ、４５ＧＨｚなどを用いて通信を行うようになる。このような高周波チャネルには、自在伝搬ロスが大きく、酸素ガスに吸収されやすく、雨水からの影響が大きいなどの欠陥を有するため、高周波通信システムのカバー性能に厳しい影響を及ぼしている。高周波通信およびロング・ターム・エボリューション（Ｌｏｎｇ  Ｔｉｍｅ  Ｅｖｏｌｕｔｉｏｎ、ＬＴＥと略称される）システムのカバレッジ内に近似する信号対干渉プラス雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲと略称される）を有することを確保するために、高周波通信のアンテナゲインを確保する必要がある。ありがたいことは、高周波通信に対応するキャリア周波数は、より短い波長を有するため、単位面積でより多くのアンテナエレメントを収容可能となることを確保することができる。また、より多くのアンテナエレメントは、ビームフォーミングの方法を用いてアンテナゲインを向上可能となることを意味することで、高周波通信のカバー性能を確保することができる。
【０００５】
ビームフォーミングの方法を用いた後、送信端は、送信エネルギーをある方向に集中させることができ、他の方向においてエネルギーが極めて小さいか、或いはエネルギーがない。つまり、各ビームは、自身の指向性を有し、一定の方向における端末だけをカバーすることができる。送信端である基地局は、全方向なカバーを完成するために、複数のビームを送信する必要がある。典型的には、ビームの数が数十乃至数百である。各方向において出現可能な端末のアクセスニーズを満たすために、システムブロードキャストメッセージの全方位カバーを実現しなければならず、通信サイトは、同様なシステムブロードキャストメッセージを各ビーム方向に繰り返し送信する必要がある。通信サイトに対して、システムブロードキャストメッセージの「絶対コスト」が大きくなるという問題が同様に存在する。
【０００６】
新世代の無線通信システム（Ｎｅｗ  Ｒａｄｉｏ、ＮＲと略称される）では、システム情報は、最小化システム情報（ｍｉｎｉｍｕｍ  ＳＩ）および他のシステム情報（ｏｔｈｅｒ  ＳＩ）に分けられている。そのうち、最小化システム情報は、さらに、物理報知チャネル（Ｐｈｙｓｉｃａｌ  Ｂｒｏａｄｃａｓｔ  Ｃｈａｎｎｅｌ、ＰＢＣＨと略称される）に運ばれた「メインシステム情報（ＭＩＢ）」、および物理下り共用チャネルに運ばれた「残りの最小化システム情報（Ｒｅｍａｉｎｉｎｇ  Ｍｉｎｉｍｕｍ  ＳＩ、ＲＭＳＩと略称される）」に分けられている。メインシステム情報は、セルの基本的なシステムパラメータを提供するために用いられ、残りの最小化システム情報は、初期アクセスに関連する設定情報、例えば初期アクセス要求の送信設定、初期アクセス応答メッセージの受信設定などを提供するために用いられる。他の報知・送信を必要とするシステム情報は、他のシステム情報と呼ばれる。従来のシステム（例えば、ＬＴＥシステム）との相違点は、新世代のシステムにおいて、より良い正方向互換性を取得しリソーススケジューリングの柔軟性を補強するために、常時オンライン（ａｌｗａｙｓ  ｏｎ  ｌｉｎｅ）情報の送信をできる限り低減させる必要がある。そのため、最小化システム情報は、周期的な形態で報知・送信され、他のシステム情報は、ニーズに応じて送信されるものである。
【０００７】
しかしながら、如何に他のシステム情報を要求するか、如何に送信するかに対して、現在、未だ実行可能な技術方案が提出されていない。
【発明の概要】
【発明が解決しようとする課題】
【０００８】
本発明の実施例は、関連技術において如何に他のシステム情報を送信するかに対する解決策が未だ存在していないという問題を少なくとも解決するために、情報の送信方法、装置、記憶媒体およびプロセッサを提供する。
【課題を解決するための手段】
【０００９】
本発明の一態様によれば、ネットワーク側は、端末へ他のシステム情報における設定要求情報を送信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であることと、ネットワーク側は、前記他のシステム情報における要求情報により指示される下り送信ポートで前記他のシステム情報を送信することと、を含む情報の送信方法が提供される。
【００１０】
好ましくは、前記他のシステム情報における設定要求情報は、残りの最小化システム情報により設定されるか、或いは、専用無線リソース制御ＲＲＣシグナリングにより設定される。
【００１１】
好ましくは、前記他のシステム情報における要求情報は、システムにより予め定義された１つまたは複数のプリアンブルリソースで送信されるプリアンブルシーケンスであり、前記プリアンブルリソースは、時間領域リソース、周波数領域リソース、コード領域リソースのうちの少なくとも１つを含む。
【００１２】
好ましくは、前記他のシステム情報は、１種または複数種に分けられ、１つのプリアンブルリソースは、１種の前記他のシステム情報に対応する。
【００１３】
好ましくは、前記方法は、前記ネットワーク側が他のシステム情報における要求情報から前記下り送信ポートおよび前記端末が要求する他のシステム情報のタイプを識別することをさらに含む。
【００１４】
好ましくは、前記他のシステム情報における設定要求情報は、各種の他のシステム情報の送信周期性、他のシステム情報の送信タイムウィンドウ、他のシステム情報の周波数領域位置、他のシステム情報における送信リソース情報、他のシステム情報が送信リソースで送信されるか否かこと、送信された他のシステム情報のタイプのうちの少なくとも１つをさらに含む。
【００１５】
好ましくは、前記ネットワーク側が前記他のシステム情報における要求情報により指示される下り送信ポートで他のシステム情報を送信することは、前記ネットワーク側が前記他のシステム情報の送信周期性、前記他のシステム情報の送信タイムウィンドウ、および前記他のシステム情報の周波数領域位置に基づき、前記他のシステム情報における要求情報により指示される下り送信ポートで前記端末へ前記他のシステム情報を送信することを含む。
【００１６】
好ましくは、前記他のシステム情報における設定要求情報は、ランダムアクセスレスポンスＲＡＲの受信設定をさらに含む。
【００１７】
好ましくは、前記ネットワーク側が端末へ他のシステム情報における設定要求情報を送信することは、前記ネットワーク側が、前記他のシステム情報をランダムアクセスレスポンスＲＡＲに含ませて送信することを含む。
【００１８】
好ましくは、前記ランダムアクセスレスポンスは、前記他のシステム情報の送信周期性、前記他のシステム情報の送信タイムウィンドウ、前記他のシステム情報の周波数領域位置、前記他のシステム情報における送信リソース情報、送信された他のシステム情報のタイプのうちの少なくとも１つを含む。
【００１９】
好ましくは、前記ネットワーク側が前記他のシステム情報の送信周期性、前記他のシステム情報の送信タイムウィンドウ、および他のシステム情報の周波数領域位置に基づき、前記他のシステム情報を送信することを含む。
【００２０】
本発明の他の態様によれば、端末は、ネットワーク側が送信した他のシステム情報における設定要求情報を受信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であることと、前記端末は、ネットワーク側が前記他のシステム情報における要求情報により指示される下り送信ポートで送信した他のシステム情報を受信することと、を含む情報の送信方法が提供される。
【００２１】
本発明の別の態様によれば、ネットワーク側に適用される情報の送信装置であって、端末へ他のシステム情報における設定要求情報を送信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であるように構成される第１の送信モジュールと、前記他のシステム情報における要求情報により指示される下り送信ポートで他のシステム情報を送信するように構成される第２の送信モジュールと、を含む情報の送信装置が提供される。
【００２２】
好ましくは、前記装置は、他のシステム情報における要求情報から、前記下り送信ポート、および前記端末が要求する他のシステム情報のタイプを識別するように構成される識別モジュールをさらに含む。
【００２３】
好ましくは、前記他のシステム情報における設定要求情報は、各種の他のシステム情報の送信周期性、他のシステム情報の送信タイムウィンドウ、他のシステム情報の周波数領域位置、他のシステム情報における送信リソース設定情報、他のシステム情報が前記送信リソースで送信されるか否かこと、送信された他のシステム情報のタイプのうちの少なくとも１つをさらに含む。
【００２４】
好ましくは、前記第２の送信モジュールは、さらに、前記他のシステム情報の送信周期性、タイムウィンドウ、および周波数領域位置に基づき、前記他のシステム情報における要求情報により指示される下り送信ポートで前記他のシステム情報を送信するように構成される。
【００２５】
好ましくは、前記他のシステム情報における設定要求情報は、ランダムアクセスレスポンスＲＡＲの受信設定をさらに含む。
【００２６】
好ましくは、前記第２の送信モジュールは、さらに、前記他のシステム情報をランダムアクセスレスポンスＲＡＲに含ませて送信するように構成される。
【００２７】
好ましくは、前記ランダムアクセスレスポンスは、前記他のシステム情報の送信周期性、前記他のシステム情報の送信タイムウィンドウ、前記他のシステム情報の周波数領域位置、前記他のシステム情報における送信リソース情報、送信された他のシステム情報のタイプのうちの少なくとも１つを含む。
【００２８】
好ましくは、前記第２の送信モジュールは、さらに、前記他のシステム情報の送信周期性、前記他のシステム情報の送信タイムウィンドウ、および前記他のシステム情報の周波数領域位置に基づき、前記他のシステム情報を送信するように構成される。
【００２９】
本発明の別の態様によれば、端末側に適用される情報の送信装置であって、ネットワーク側が送信した他のシステム情報における設定要求情報を受信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であるように構成される第１の受信モジュールと、ネットワーク側が前記他のシステム情報における要求情報により指示される下り送信ポートで送信した他のシステム情報を受信するように構成される第２の受信モジュールと、を含む情報の送信装置が提供される。
【００３０】
本発明の別の実施例によれば、記憶されたプログラムを含む記憶媒体であって、前記プログラムが作動されると、上述したいずれか一項に記載の方法を実行する記憶媒体がさらに提供される。
【００３１】
本発明の別の実施例によれば、プログラムを実行するように構成されるプロセッサであって、前記プログラムが作動されると、上述したいずれか一項に記載の方法を実行するプロセッサがさらに提供される。
【００３２】
本発明によれば、ネットワーク側は、端末へ他のシステム情報における設定要求情報を送信し、そのうち、他のシステム情報における設定要求情報は、他のシステム情報における要求情報の送信設定を含み、他のシステム情報における要求情報は、端末が他のシステム情報の取得を要求する時にネットワーク側へ送信する情報であり、さらにネットワーク側は、他のシステム情報における要求情報により指示される下り送信ポートで他のシステム情報を送信する。これから分かるように、ネットワーク側は、上述したステップによって他のシステム情報を端末側に効果的に送信することができ、関連技術における空白を埋め、関連技術において如何に他のシステム情報を送信するかに対する解決策が未だ存在していないという問題を解決することができる。
【００３３】
ここで説明される図面は、本発明をさらに理解したり、本発明の一部を構成したりするために用いられる。本発明の例示的な実施例およびその説明は、本発明を解釈するために用いられ、本発明を不適切に限定するものではない。
【図面の簡単な説明】
【００３４】
【図１】本発明の実施例に係る情報の送信方法における移動端末のハードウェアの構造ブロック図である。
【図２】本発明の実施例に係る情報の送信方法の第１のフローチャートである。
【図３】本発明の実施例に係る他のシステム情報における設定要求情報にｐｒｅａｍｂｌｅの送信設定が含まれる第１の模式図である。
【図４】本発明の実施例に係る他のシステム情報がＲＡＲに運ばれる模式図である。
【図５】本発明の実施例に係る他のシステム情報における設定要求情報にｐｒｅａｍｂｌｅの送信設定が含まれる第２の模式図である。
【図６】本発明の実施例に係る他のシステム情報が物理下り共用チャネルに運ばれる模式図である。
【図７】本発明の実施例に係る他のシステム情報における設定要求情報にｐｒｅａｍｂｌｅの送信設定が含まれる第３の模式図である。
【図８】本発明の実施例に係る情報の送信方法の第２のフローチャートである。
【図９】本発明の実施例に係る情報の送信装置の第１の構造ブロック図である。
【図１０】本発明の実施例に係る情報の送信装置の第２の構造ブロック図である。
【発明を実施するための形態】
【００３５】
以下は、図面を参照し、実施例を結び付けて本発明について詳細に説明する。なお、矛盾しない前提で、本発明における実施例および実施例における特徴は、互いに組み合わせることができる。
【００３６】
なお、本発明の明細書、特許請求の範囲、および上述した図面における「第１」、「第２」などの用語は、類似する対象を区別するために用いられるが、特定の順番または前後順番を説明するために用いられるものではない。
【００３７】
本発明の実施例１に係る方法実施例は、移動端末、コンピュータ端末または類似する計算装置において実行されてもよい。移動端末において実行されることを例として、図１は、本発明の実施例に係る情報の送信方法における移動端末のハードウェアの構造ブロック図である。図１に示すように、移動端末１０は、１つまたは複数（図１において１つしか示していない）のプロセッサ１０２（プロセッサ１０２は、マイクロプロセッサＭＣＵまたはプログラマブルロジックデバイスＦＰＧＡなどの処理装置を含んでもよいが、それに限定されない）、データを記憶するためのメモリ１０４、および通信機能用の伝送装置１０６を含んでもよい。当業者にとっては、図１に示す構造は、例示に過ぎず、上記電子装置の構造を限定するものではないことを理解すべきである。例えば、移動端末１０は、図１に示すものよりも多いか或いはそれよりも少ないアセンブリをさらに含んでもよく、或いは、図１に示すものと異なる構成を有してもよい。
【００３８】
メモリ１０４は、アプリケーションソフトウェアのソフトウェアプログラムおよびモジュール、例えば、本発明の実施例における情報の送信方法が対応するプログラム指令／モジュールを記憶するために用いられてもよく、プロセッサ１０２は、メモリ１０４に記憶されたソフトウェアプログラムおよびモジュールを実行することにより、各種の機能的アプリケーションおよびデータ処理を実行し、すなわち、上述した方法を実現する。メモリ１０４は、高速ランダムアクセスメモリを含んでもよいし、不揮発性メモリ、例えば１つまたは複数の磁気記憶装置、フラッシュメモリ、または他の不揮発性ソリッドステートメモリを含んでもよい。一部のインスタンスにおいて、メモリ１０４は、プロセッサ１０２に対して遠隔設定されたメモリをさらに含んでもよく、これらのリモートメモリは、ネットワークによって移動端末１０に接続されてもよい。前記ネットワークのインスタンスは、インターネット、イントラネット、ローカルエリア・ネットワーク、移動通信ネットワークおよびその組み合わせを含んだが、それに限定されない。
【００３９】
伝送装置１０６は、ネットワークを介してデータを受送信するために用いられる。前記ネットワークの具体的なインスタンスは、移動端末１０の通信事業者による無線ネットワークを含んでもよい。一つのインスタンスにおいて、伝送装置１０６は、基地局を介して他のネットワークデバイスに接続されてインターネットと通信可能なネットワークアダプタ（Ｎｅｔｗｏｒｋ  Ｉｎｔｅｒｆａｃｅ  Ｃｏｎｔｒｏｌｌｅｒ、ＮＩＣ）を含む。一つのインスタンスにおいて、伝送装置１０６は、無線形態でインターネットと通信するための無線周波数（Ｒａｄｉｏ  Ｆｒｅｑｕｅｎｃｙ、ＲＦ）モジュールであってもよい。
【００４０】
本実施例において、ネットワークアーキテクチャーに実行される情報の送信方法が提供される。図２は、本発明の実施例に係る情報の送信方法の第１のフローチャートである。図２に示すように、当該フローは、
ネットワーク側は、端末へ他のシステム情報における設定要求情報を送信し、他のシステム情報における設定要求情報は、他のシステム情報における要求情報の送信設定を含み、他のシステム情報における要求情報は、端末が他のシステム情報の取得を要求する時にネットワーク側へ送信する情報であるステップＳ２０２と、
ネットワーク側は、他のシステム情報における要求情報により指示される下り送信ポートで他のシステム情報を送信するステップＳ２０４と、を含む。
【００４１】
上記ステップＳ２０２〜２０４によれば、ネットワーク側は、端末へ他のシステム情報における設定要求情報を送信し、そのうち、他のシステム情報における設定要求情報は、他のシステム情報における要求情報の送信設定を含み、他のシステム情報における要求情報は、端末が他のシステム情報の取得を要求する時にネットワーク側へ送信する情報であり、さらにネットワーク側は、他のシステム情報における要求情報により指示される下り送信ポートで他のシステム情報を送信する。これから分かるように、ネットワーク側は、上述したステップによって他のシステム情報を端末側に効果的に送信することができ、関連技術における空白を埋め、関連技術において如何に他のシステム情報を送信するかに対する解決策が未だ存在していないという問題を解決することができる。
【００４２】
好ましくは、上記ステップの実行主体であるネットワーク側は、基地局または他のネットワークエレメントなどであってもよいが、それに限定されない。
【００４３】
好ましくは、ステップＳ２０２とステップＳ２０４の実行順番は、互いに置換可能であり、すなわち、ステップＳ２０４を実行した後、Ｓ２０２を実行してもよい。
【００４４】
なお、本実施例に係る他のシステム情報における設定要求情報は、残りの最小化システム情報により設定されるか、或いは専用無線リソース制御ＲＲＣシグナリングにより設定される。
【００４５】
また、本実施例に係る他のシステム情報における要求情報は、システムにより予め定義された１つまたは複数のプリアンブルリソースで送信されるプリアンブルシーケンスである。そのうち、プリアンブルリソースは、時間領域リソース、周波数領域リソース、コード領域リソースのうちの少なくとも１つを含む。そのため、他のシステム情報が１種または複数種に分けられた場合、１つのプリアンブルリソースは、１種の他のシステム情報に対応する。
【００４６】
好ましくは、本実施例における方法は、
ネットワーク側が他のシステム情報における要求情報から下り送信ポート、および端末が要求する他のシステム情報のタイプを識別するステップＳ２０６をさらに含む。
【００４７】
また、本発明の他の好ましい実施形態において、本実施例に係る他のシステム情報における設定要求情報は、各種の他のシステム情報の送信周期性、他のシステム情報の送信タイムウィンドウ、他のシステム情報の周波数領域位置、他のシステム情報における送信リソース情報、他のシステム情報が送信リソースで送信されるか否かこと、送信された他のシステム情報のタイプのうちの少なくとも１つをさらに含む。
【００４８】
上記他のシステム情報における設定要求情報に基づき、本実施例におけるステップＳ２０４で、ネットワーク側が他のシステム情報における要求情報により指示される下り送信ポートで他のシステム情報を送信する形態は、具体的な適用シナリオで、ネットワーク側が他のシステム情報の送信周期性、タイムウィンドウ、および周波数領域位置に基づき、他のシステム情報における要求情報により指示される下り送信ポートで端末へ他のシステム情報を送信することであってもよい。
【００４９】
本実施例の別の好ましい実施形態において、本実施例に係る他のシステム情報における設定要求情報は、ランダムアクセスレスポンスＲＡＲの受信設定をさらに含む。それに基づき、本実施例に係るステップＳ２０２で、ネットワーク側が端末へ他のシステム情報における設定要求情報を送信する形態は、具体的な適応シナリオで、ネットワーク側が他のシステム情報をランダムアクセスレスポンスＲＡＲに含ませて送信することであってもよい。
【００５０】
そのうち、ランダムアクセスレスポンスは、他のシステム情報の送信周期性、他のシステム情報の送信タイムウィンドウ、他のシステム情報の周波数領域位置、他のシステム情報における送信リソース情報、送信された他のシステム情報のタイプのうちの少なくとも１つをさらに含む。
【００５１】
当該ランダムアクセスレスポンスに基づき、本実施例における方法は、ネットワーク側が他のシステム情報の送信周期性、他のシステム情報の送信タイムウィンドウ、および他のシステム情報の周波数領域位置に基づいて他のシステム情報を送信することをさらに含む。
【００５２】
本実施例では、ＲＭＳＩは、ｏｔｈｅｒ  ＳＩがｐｒｅａｍｂｌｅの送信設定を要求することを指示する。端末は、ＲＭＳＩにおける設定情報を取得した後、取得しようとするｏｔｈｅｒ  ＳＩに対応するｐｒｅａｍｂｌｅを送信し、ＲＡＲを受信し、要求されたｏｔｈｅｒ  ＳＩをＲＡＲから取得する。
【００５３】
本実施例において、
ｇＮＢは、ＵＥ１へ他のシステム情報における設定要求情報を送信するステップＳ１と、
ＵＥ１は、ｇＮＢへｐｒｅａｍｂｌｅをフィードバックするステップＳ２と、
ｇＮＢは、ＵＥ１へ他のシステム情報が運ばれているＲＡＲを送信するステップＳ３とを含む。
【００５４】
上記ステップＳ１〜ステップＳ３について、ｇＮＢは、残りの最小化システム情報ＲＭＳＩによって端末へ他のシステム情報（ｏｔｈｅｒ  ＳＩ）における設定要求情報を指示すると詳細に説明する。本実施例において、端末は、ランダムアクセス要求プリアンブルシーケンス（ｐｒｅａｍｂｌｅ）を送信することにより、基地局に対してｏｔｈｅｒ  ＳＩを要求する必要がある。そのため、他のシステム情報（ｏｔｈｅｒ  ＳＩ）における設定要求情報にｐｒｅａｍｂｌｅの送信設定が含まれる。図３は、本発明の実施例に係る他のシステム情報における設定要求情報にｐｒｅａｍｂｌｅの送信設定が含まれる第１の模式図である。図３に示すように、高周波のＲＭＳＩをビーム形態で送信する必要があるので、所望のカバレッジの完全なカバーを完成しようとする場合、異なるビーム方向において送信する必要がある。端末は、他のシステム情報を要求する場合、基地局が当該端末の所在するビーム方向（或いはポート）で前記他のシステム情報を送信するように、基地局へどの下り送信ビーム（またはポート）に所在するかを指示する必要がある。本実施例において、端末と基地局側の相互作用がいずれも成立すれば、ＲＭＳＩを下り送信するポートは、１つのｐｒｅａｍｂｌｅの時間・周波数領域リソースに一意に対応する。すなわち、端末は、ＲＭＳＩが対応するｐｒｅａｍｂｌｅの時間・周波数領域リソースでｐｒｅａｍｂｌｅを送信し、基地局において現在の端末が所在する下りビーム（またはポート）を判断することができる。例えば、端末は、ｂｅａｍ２でＲＭＳＩを受信した場合、ｂｅａｍ  ２におけるＲＭＳＩ設定に基づき、それに対応するｐｒｅａｍｂｌｅ  ｒｅｓｏｕｒｃｅがｐｒｅａｍｂｌｅ  ｒｅｓｏｕｒｃｅ  ２であることを分かり、端末は、ｐｒｅａｍｂｌｅ  ｒｅｓｏｕｒｃｅ  ２でｐｒｅａｍｂｌｅを送信する。それに応じて、基地局は、ｐｒｅａｍｂｌｅ  ｒｅｓｏｕｒｃｅ  ２でｐｒｅａｍｂｌｅを受信した場合、ｂｅａｍ２でのＵＥがｏｔｈｅｒ  ＳＩを必要とすることを確定し、続いて、基地局は、ｂｅａｍ２でｏｔｈｅｒ  ＳＩを送信する。
【００５５】
また、ｏｔｈｅｒ  ＳＩは、システムにより予め２種に分けられ、例えば、隣接セルの測定に関連するＳＩが第１種の他のシステム情報であり、残りの他のシステム情報が第２種の他のシステム情報である。且つ、ｏｔｈｅｒ  ＳＩの要求に専用する２つのｐｒｅａｍｂｌｅシーケンスリソースが予め定義され、シーケンス１は、第１種の他のシステム情報に対応し、シーケンス２は、第２種の他のシステム情報に対応する。この際に、端末は、隣接セルの測定に関連する他のシステム情報を要求しようとする場合、シーケンス１を選択して送信する。
【００５６】
さらに、図４は、本発明の実施例に係る他のシステム情報がＲＡＲに運ばれる模式図である。図４に示すように、ｐｒｅａｍｂｌｅ  ｒｅｓｏｕｒｃｅ  ２で端末が送信したｏｔｈｅｒ  ＳＩ要求に専用するｐｒｅａｍｂｌｅシーケンス１を受信した場合、基地局は、ｂｅａｍ２が対応するＲＡＲのみにおいて隣接セルの測定に関連するｏｔｈｅｒ  ＳＩを含む。
【００５７】
ｏｔｈｅｒ  ＳＩ要求情報を送信した端末は、ネットワーク側が設定したＲＡＲの受信設定に基づき、ＲＡＲを受信し、所望のｏｔｈｅｒ  ＳＩをＲＡＲから取得する。
【００５８】
端末がＲＡＲを受信する場合、対応するスロットにおける物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨと略称される）のサーチスペースにおいてＲＡ−ＲＮＴＩでＤＣＩをブラインド検出し、ＤＣＩからランダムアクセスレスポンス情報におけるスケジューリング情報を取得し、スケジューリング情報に基づいてランダムアクセスレスポンス情報を受信し、さらにランダムアクセスレスポンス情報に含まれたｏｔｈｅｒ  ＳＩを取得する。
【００５９】
図５は、本発明の実施例に係る他のシステム情報における設定要求情報にｐｒｅａｍｂｌｅの送信設定が含まれる第２の模式図である。図５に示すように、基地局側の相互作用が成立せず、ＵＥ側の相互作用が成立すると、基地局側の下り送信ポート（ビーム）は、基地局側の上り受信ポート（ビーム）に一意に対応することができず、端末側の下り受信ポート（ビーム）は、上り送信ポート（ビーム）に一意に対応することができる。この際に、下り送信ビームｂｅａｍ２に対応するｐｒｅａｍｂｌｅ送信の時間・周波数リソースが複数であるため、基地局は、異なる受信ポートで、端末によるｐｒｅａｍｂｌｅ送信を受信することができる。つまり、基地局は、複数のｐｒｅａｍｂｌｅ送信の時間・周波数リソースで受信ポート（ビーム方向）を切り換え、端末の送信ポート（ビーム）を不変に維持させるままで、基地局側の受信ポートのスイーピングを行う。
【００６０】
ＵＥ側の相互作用が成立せず、基地局側の相互作用が成立すると、端末側の下り受信ポート（ビーム）は、上り送信ポート（ビーム）に一意に対応することができず、基地局側の下り送信ポート（ビーム）は、基地局側の上り受信ポート（ビーム）に一意に対応することができる。この際に、ｐｒｅａｍｂｌｅを送信する場合、ＵＥは、基地局側が受信できるために、複数の上り送信ポート（ビーム）によってｐｒｅａｍｂｌｅを繰り返し送信する必要がある。この場合、１つの下り送信ポート（ビーム）に対して複数の対応するｐｒｅａｍｂｌｅ送信の時間・周波数リソースを定義する必要もある。端末は、異なるｐｒｅａｍｂｌｅ送信の時間・周波数リソースで送信ポート（ビーム）を切り換え、基地局側における受信ポート（ビーム）を不変に維持させるままで、端末側の送信ポートのスイーピングを行う。
【００６１】
他の場合は、ＵＥ側および基地局側の相互作用がいずれも成立しないことである。この際に、より多くのｐｒｅａｍｂｌｅ送信の時間・周波数リソースおよび１つの下り送信ポート（ビーム）を定義する必要がある。すなわち、一定のルールに応じて端末側の送信ポート（ビーム）と基地局側の受信ポート（ビーム）の組み合わせスイーピングを完成し、例えば、まず、基地局側の受信ポートのスイーピングを行い、すなわち連続する複数のｐｒｅａｍｂｌｅリソースで、基地局側は、受信ポート（ビーム）を切り換え、端末は、送信ポート（ビーム）を不変に維持させる。基地局の受信ポートのスイーピングを１回行った後、端末は、他の１つの送信ポート（ビーム）に切り換え、基地局は、スイーピング受信を行い、このように繰り返し、端末のすべての送信ポートと基地局側の受信ポートのいずれの組み合わせ送信を完成する。
【００６２】
なお、上述した各種の場合で、定義されたこのグループのｐｒｅａｍｂｌｅ送信の時間・周波数リソースは、いずれもある下り送信ポートに対応する。すなわち、基地局は、これらのリソースのいずれか１つにおいて端末が送信したｏｔｈｅｒ  ＳＩ要求ｐｒｅａｍｂｌｅを受信するため、当該ＵＥが所在する下り送信ポート（ビーム方向）を確定し、且つ対応するポートでｏｔｈｅｒ  ＳＩを送信することができる。
【００６３】
本実施例において、ＲＭＳＩまたはＲＲＣ専用シグナリングから、ｏｔｈｅｒ  ＳＩ要求情報の送信設定、および各種のｏｔｈｅｒ  ＳＩの周期性、送信タイムウィンドウ、周波数領域位置が指示される。端末は、ＲＭＳＩにおける設定情報を取得した後、取得しようとするｏｔｈｅｒ  ＳＩが対応するｐｒｅａｍｂｌｅを送信する。所定のタイムウィンドウ内にＰＤＣＣＨをブラインド検出する。
【００６４】
具体的な実施形態において、方法ステップは、
ｇＮＢは、ＵＥ１へ他のシステム情報における設定要求情報を送信するステップＳ１と、
ＵＥ１は、ｇＮＢへｐｒｅａｍｂｌｅをフィードバックするステップＳ２と、
ｇＮＢは、ＵＥ１へ、他のシステム情報が運ばれている物理下り共用チャネル（Ｐｈｙｓｉｃａｌ  Ｄｏｗｎｌｉｎｋ  Ｓｈａｒｅ  Ｃｈａｎｎｅｌ、ＰＤＳＣＨと略称される）を送信するステップＳ３と、を含む。
【００６５】
本具体的な実施例におけるＳ１〜Ｓ３に対して、基地局ｇＮＢは、端末へ他のシステム情報（ｏｔｈｅｒ  ＳＩ）における設定要求情報を送信する。そのうち、前記他のシステム情報（ｏｔｈｅｒ  ＳＩ）における設定要求情報は、他のシステム情報における要求情報の送信設定、およびｏｔｈｅｒ  ＳＩの送信周期性、タイムウィンドウ、周波数領域位置を含み、前記他のシステム情報における要求情報とは、端末が他のシステム情報の取得を要求する時にネットワーク側へ送信する情報である。
【００６６】
具体的には、ｇＮＢは、残りの最小化システム情報（ＲＭＳＩ）によって端末へ他のシステム情報（ｏｔｈｅｒ  ＳＩ）における設定要求情報を指示する。本実施例において、端末は、ランダムアクセス要求プリアンブルシーケンス（ｐｒｅａｍｂｌｅ）を送信することによって基地局に対してｏｔｈｅｒ  ＳＩを要求する必要があるため、他のシステム情報（ｏｔｈｅｒ  ＳＩ）における設定要求情報にｐｒｅａｍｂｌｅの送信設定が含まれる。図３に示すように、高周波のＲＭＳＩをビーム形態で送信する必要があるので、すなわち所望のカバレッジの完全なカバーを完成しようとする場合、異なるビーム方向において送信する必要がある。端末は、他のシステム情報を要求する場合、基地局が当該端末の所在するビーム方向（或いはポート）で前記他のシステム情報を送信するように、基地局へどの下り送信ビーム（またはポート）に所在するかを指示する必要がある。本実施例において、端末と基地局側の相互作用がいずれも成立すれば、ＲＭＳＩを下り送信するポートは、１つのｐｒｅａｍｂｌｅの時間・周波数領域リソースに一意に対応する。すなわち、端末は、ＲＭＳＩが対応するｐｒｅａｍｂｌｅの時間・周波数領域リソースでｐｒｅａｍｂｌｅを送信し、基地局において現在の端末が所在する下りビーム（またはポート）を判断することができる。例えば、端末は、ｂｅａｍ２でＲＭＳＩを受信した場合、ｂｅａｍ  ２におけるＲＭＳＩ設定に基づき、それに対応するｐｒｅａｍｂｌｅ  ｒｅｓｏｕｒｃｅがｐｒｅａｍｂｌｅ  ｒｅｓｏｕｒｃｅ  ２であることを分かり、端末は、ｐｒｅａｍｂｌｅ  ｒｅｓｏｕｒｃｅ  ２でｐｒｅａｍｂｌｅを送信する。それに応じて、基地局は、ｐｒｅａｍｂｌｅ  ｒｅｓｏｕｒｃｅ  ２でｐｒｅａｍｂｌｅを受信した場合、ｂｅａｍ２でのＵＥがｏｔｈｅｒ  ＳＩを必要とすることを確定し、続いて、基地局は、ｂｅａｍ２でｏｔｈｅｒ  ＳＩを送信する。
【００６７】
また、ｏｔｈｅｒ  ＳＩは、システムにより予め複数種に分けられ、各種の他のシステム情報は、１つの専用ｐｒｅａｍｂｌｅシーケンスに対応する。端末および基地局は、いずれも、上記他のシステム情報の区分形態、および各種の他のシステム情報と専用ｐｒｅａｍｂｌｅシーケンスとの対応関係を分かることができる。この際に、ある他のシステム情報を要求しようとする場合、端末は、この他のシステム情報が対応するｐｒｅａｍｂｌｅシーケンスを選択して送信する。
【００６８】
さらに、図６は、本発明の実施例に係る他のシステム情報が物理下り共用チャネルに運ばれる模式図である。図６に示すように、従属する端末がｏｔｈｅｒ  ＳＩを取得しようとする場合、基地局は、予め定義されたｏｔｈｅｒ  ＳＩ周期性に基づき、一定の送信タイムウィンドウ内に送信する。ｏｔｈｅｒ  ＳＩの送信タイムウィンドウ内に１つまたは複数のスロットＳｌｏｔが含まれる。
【００６９】
端末は、ＲＭＳＩから取得されたｏｔｈｅｒ  ＳＩの送信周期性（例えば、送信周期性が１６０ｍｓである）、送信タイムウィンドウ（送信タイムウィンドウは、無線フレームレベルであってもよい。例えば、送信タイムウィンドウは、システムフレーム番号（ＳＦＮ）（ＳＦＮ  ｍｏｄ  １６＝１または２）で表され、すなわち、システムフレーム番号が１６に対してモジュローオペレーションを行うことによって得た１または２である連続する２つの無線フレームは、１つの送信タイムウィンドウを表す。さらに、送信タイムウィンドウは、サブフレーム粒度であってもよく、システムフレーム番号を基に、送信タイムウィンドウにどちらのサブフレームが含まれるかをさらに指示する必要がある。）、および周波数領域位置に基づき、所定の周波数領域位置、および送信タイムウィンドウの各ｓｌｏｔ内にＳＩ−ＲＮＴＩを用いて物理下り制御チャネル（ＰＤＣＣＨ）において下り制御情報（ＤＣＩ）をブラインド検出することで、このｓｌｏｔ内の物理下り共用チャネル（ＰＤＳＣＨ）において端末が要求したｏｔｈｅｒ  ＳＩが運ばれているか否かを確定する。端末は、ｏｔｈｅｒ  ＳＩの送信タイムウィンドウ内のあるｓｌｏｔにおいてｏｔｈｅｒ  ＳＩを取得する。
【００７０】
端末がｏｔｈｅｒ  ＳＩを要求する下り送信ポート（ビーム）が複数である場合、基地局は、ｏｔｈｅｒ  ＳＩ送信ニーズがある複数の下り送信ポート（ビーム）でｏｔｈｅｒ  ＳＩを送信するため、基地局は、どのｓｌｏｔでどのポート（ビーム）のｏｔｈｅｒ  ＳＩを送信するかを柔軟に確定することができる。また、異なる端末により要求されるｏｔｈｅｒ  ＳＩのタイプは、異なってもよいし、異なるポート（ビーム）が対応するｓｌｏｔ内に運ばれるｏｔｈｅｒ  ＳＩのタイプは、異なってもよい。
【００７１】
本実施例において、端末と基地局側の相互作用がいずれも成立すれば、実施例２と類似するように、ある一方側または両側の相互作用が成立しない場合、より多くのｐｒｅａｍｂｌｅリソースを設定して下り送信ポート（ビーム）に対応させて、ある一方側または両側のポート（ビーム）のスイーピング送信を完成する。
【００７２】
本実施例において、ＲＭＳＩまたはＲＲＣ専用シグナリングから、ｏｔｈｅｒ  ＳＩ要求情報の送信設定、および各種のｏｔｈｅｒ  ＳＩの周期性、送信タイムウィンドウ、周波数領域位置が指示される。端末は、ＲＭＳＩにおける設定情報を取得した後、取得しようとするｏｔｈｅｒ  ＳＩが対応するｐｒｅａｍｂｌｅを送信する。所定のタイムウィンドウ内にＰＤＣＣＨをブラインド検出する。
【００７３】
上記実施例との区別は、以下の通りである。基地局ｇＮＢが端末へ送信した他のシステム情報（ｏｔｈｅｒ  ＳＩ）における設定要求情報に他のシステム情報における要求情報の送信設定、およびｏｔｈｅｒ  ＳＩの送信リソース設定情報（例えば、周波数領域位置、時間領域の具体的なｓｌｏｔ情報）が含まれる。図７は、本発明の実施例に係る他のシステム情報における設定要求情報にｐｒｅａｍｂｌｅの送信設定が含まれる第３の模式図である。図７に示すように、ＲＭＳＩにおいて、ＲＭＳＩが所在する下りポート（ビーム）に対応するｐｒｅａｍｂｌｅリソース、および後続のｏｔｈｅｒ  ＳＩの送信リソースが直接に設定される。この際に、端末は、送信タイムウィンドウ内に各ｓｌｏｔ内の下り制御情報をブラインド検出することによってｏｔｈｅｒ  ＳＩが含まれるか否かを確定する必要がなく、直接に所定のｓｌｏｔ内にＤＣＩをブラインド検出し、ＤＣＩからｏｔｈｅｒ  ＳＩのＰＤＳＣＨにおけるスケジューリング情報を得、スケジューリング情報に基づいてｏｔｈｅｒ  ＳＩを受信する。
【００７４】
なお、このような形態で、ＲＭＳＩから指示されるｏｔｈｅｒ  ＳＩ送信リソースは、予め設定されたリソースに過ぎず、対応する端末がｏｔｈｅｒ  ＳＩを要求する場合、予め設定されたリソースで要求されたｏｔｈｅｒ  ＳＩを送信する。ある下りポート（ビーム）においてｏｔｈｅｒ  ＳＩを要求する端末がない場合、予め設定されたｏｔｈｅｒ  ＳＩリソースを用いて他の情報を送信し、予備する必要がない。
【００７５】
本実施例において、ＲＭＳＩまたはＲＲＣ専用シグナリングから、ｏｔｈｅｒ  ＳＩ要求情報の送信設定、およびｏｔｈｅｒ  ＳＩの送信リソース設定情報が指示される。端末は、ＲＭＳＩにおける設定情報を取得した後、取得しようとするｏｔｈｅｒ  ＳＩが対応するｐｒｅａｍｂｌｅを送信する。所定のｏｔｈｅｒ  ＳＩの送信リソースにおいて下り制御情報をブラインド検出する。
【００７６】
本実施例において、方法ステップは、
ｇＮＢは、ＵＥ１へ他のシステム情報における設定要求情報を送信するステップＳ１と、
ＵＥ１は、ｇＮＢへｐｒｅａｍｂｌｅをフィードバックするステップＳ２と、
ｇＮＢは、ＵＥ１へＲＡＲを送信するステップＳ３と、
ｇＮＢは、ＵＥ１へ他のシステム情報が運ばれているＰＤＳＣＨを送信するステップＳ４と、を含む。
【００７７】
上記ステップＳ１〜ステップＳ４に対して、具体的には、基地局ｇＮＢは、端末へ他のシステム情報（ｏｔｈｅｒ  ＳＩ）における設定要求情報を送信する。そのうち、前記他のシステム情報（ｏｔｈｅｒ  ＳＩ）における設定要求情報は、他のシステム情報における要求情報の送信設定、およびランダムアクセスレスポンスの受信設定を含み、前記他のシステム情報における要求情報とは、端末が他のシステム情報の取得を要求する時にネットワーク側へ送信する情報である。
【００７８】
具体的には、ｇＮＢは、残りの最小化システム情報（ＲＭＳＩ）によって端末へ他のシステム情報（ｏｔｈｅｒ  ＳＩ）における設定要求情報を指示する。本実施例において、端末は、ランダムアクセス要求プリアンブルシーケンス（ｐｒｅａｍｂｌｅ）を送信することによって基地局にｏｔｈｅｒ  ＳＩを要求する必要があるため、他のシステム情報（ｏｔｈｅｒ  ＳＩ）における設定要求情報にｐｒｅａｍｂｌｅの送信設定が含まれる。図３に示すように、高周波のＲＭＳＩをビーム形態で送信する必要があるので、すなわち所望のカバレッジの完全なカバーを完成しようとする場合、異なるビーム方向において送信する必要がある。端末は、他のシステム情報を要求する場合、基地局が当該端末の所在するビーム方向（或いはポート）で前記他のシステム情報を送信するように、基地局へどの下り送信ビーム（またはポート）に所在するかを指示する必要がある。本実施例において、端末と基地局側の相互作用がいずれも成立すれば、ＲＭＳＩを下り送信するポートは、１つのｐｒｅａｍｂｌｅの時間・周波数領域リソースに一意に対応する。すなわち、端末は、ＲＭＳＩが対応するｐｒｅａｍｂｌｅの時間・周波数領域リソースでｐｒｅａｍｂｌｅを送信し、基地局において現在の端末が所在する下りビーム（またはポート）を判断することができる。例えば、端末は、ｂｅａｍ２でＲＭＳＩを受信した場合、ｂｅａｍ  ２におけるＲＭＳＩ設定に基づき、それに対応するｐｒｅａｍｂｌｅ  ｒｅｓｏｕｒｃｅがｐｒｅａｍｂｌｅ  ｒｅｓｏｕｒｃｅ  ２であることを分かり、端末は、ｐｒｅａｍｂｌｅ  ｒｅｓｏｕｒｃｅ  ２でｐｒｅａｍｂｌｅを送信する。それに応じて、基地局は、ｐｒｅａｍｂｌｅ  ｒｅｓｏｕｒｃｅ  ２でｐｒｅａｍｂｌｅを受信した場合、ｂｅａｍ２でのＵＥがｏｔｈｅｒ  ＳＩを必要とすることを確定し、続いて、基地局は、ｂｅａｍ２でｏｔｈｅｒ  ＳＩを送信する。
【００７９】
また、ｏｔｈｅｒ  ＳＩは、システムにより予め複数種に分けられ、各種の他のシステム情報は、１つの専用ｐｒｅａｍｂｌｅシーケンスに対応する。端末および基地局は、いずれも、上記他のシステム情報の区分形態、および各種の他のシステム情報と専用ｐｒｅａｍｂｌｅシーケンスとの対応関係を分かることができる。この際に、ある他のシステム情報を要求しようとする場合、端末は、この他のシステム情報が対応するｐｒｅａｍｂｌｅシーケンスを選択して送信する。
【００８０】
基地局は、受信したｐｒｅａｍｂｌｅシーケンスに基づき、どちらの下り送信ポート（ビーム）でどちらのｏｔｈｅｒ  ＳＩを送信する必要があるかを確定する。この際に、基地局は、これらのｏｔｈｅｒ  ＳＩを送信するリソース、例えばｏｔｈｅｒ  ＳＩの送信周期性、タイムウィンドウ、および周波数領域位置をさらに確定するとともに、これらの情報をランダムアクセスレスポンス（ＲＡＲ）に含ませて端末にフィードバックし、上記ｏｔｈｅｒ  ＳＩのリソース設定に応じてｏｔｈｅｒ  ＳＩを送信することができる。
【００８１】
ｏｔｈｅｒ  ＳＩ要求を送信した端末は、まずＲＡＲを受信し、ｏｔｈｅｒ  ＳＩのリソース設定を確定する。さらに、本実施例において、他のシステム情報が物理下り共用チャネルに運ばれている。具体的には、ｏｔｈｅｒ  ＳＩの送信タイムウィンドウ内に１つまたは複数のスロットＳｌｏｔが含まれる。端末は、ＲＡＲから取得されたｏｔｈｅｒ  ＳＩの送信周期性、タイムウィンドウ、および周波数領域位置に基づき、所定の周波数領域位置、および送信タイムウィンドウの各ｓｌｏｔ内にＳＩ−ＲＮＴＩを用いて物理下り制御チャネル（ＰＤＣＣＨ）において下り制御情報（ＤＣＩ）をブラインド検出することで、このｓｌｏｔ内の物理下り共用チャネル（ＰＤＳＣＨ）において端末が要求したｏｔｈｅｒ  ＳＩが運ばれているか否かを確定する。端末は、ｏｔｈｅｒ  ＳＩの送信タイムウィンドウ内のあるｓｌｏｔ内にｏｔｈｅｒ  ＳＩを取得する。
【００８２】
端末がｏｔｈｅｒ  ＳＩを要求する下り送信ポート（ビーム）が複数である場合、基地局は、ｏｔｈｅｒ  ＳＩ送信ニーズがある複数の下り送信ポート（ビーム）でｏｔｈｅｒ  ＳＩを送信し、基地局は、どちらのｓｌｏｔでどちらのポート（ビーム）のｏｔｈｅｒ  ＳＩを送信するかを柔軟に確定することができる。また、異なる端末により要求されるｏｔｈｅｒ  ＳＩのタイプは、異なってもよいし、異なるポート（ビーム）が対応するｓｌｏｔ内に運ばれるｏｔｈｅｒ  ＳＩのタイプは、異なってもよい。
【００８３】
本実施例において、端末と基地局側の相互作用がいずれも成立すれば、実施例と類似するように、ある一方側または両側の相互作用が成立しない場合、より多くのｐｒｅａｍｂｌｅリソースを設定して下り送信ポート（ビーム）に対応させて、ある一方側または両側のポート（ビーム）のスイーピング送信を完成する。
【００８４】
本実施例において、ＲＭＳＩからｏｔｈｅｒ  ＳＩ要求ｐｒｅａｍｂｌｅの送信設定が指示される。端末は、ＲＭＳＩにおける設定情報を取得した後、取得しようとするｏｔｈｅｒ  ＳＩが対応するｐｒｅａｍｂｌｅを送信する。ＲＡＲを受信し、各種のｏｔｈｅｒ  ＳＩの周期性、送信タイムウィンドウ、および周波数領域位置をＲＡＲから取得し、所定のタイムウィンドウ内にＰＤＣＣＨをブラインド検出する。
【００８５】
本実施例において、方法ステップは、
ｇＮＢは、ＵＥ１へ他のシステム情報における設定要求情報を送信するステップＳ１と、
ＵＥ１は、ｇＮＢへｐｒｅａｍｂｌｅをフィードバックするステップＳ２と、
ｇＮＢは、ＵＥ１へＲＡＲを送信するステップＳ３と、
ｇＮＢは、ＵＥ１へ他のシステム情報が運ばれているＰＤＳＣＨを送信するステップＳ４と、を含む。
【００８６】
上記ステップＳ１〜ステップＳ４に対して、基地局ｇＮＢは、端末へ他のシステム情報（ｏｔｈｅｒ  ＳＩ）における設定要求情報を送信する。そのうち、前記他のシステム情報（ｏｔｈｅｒ  ＳＩ）における設定要求情報は、他のシステム情報における要求情報の送信設定、およびランダムアクセスレスポンスの受信設定を含み、前記他のシステム情報における要求情報とは、端末が他のシステム情報の取得を要求する時にネットワーク側へ送信する情報である。
【００８７】
具体的には、ｇＮＢは、残りの最小化システム情報（ＲＭＳＩ）によって端末へ他のシステム情報（ｏｔｈｅｒ  ＳＩ）における設定要求情報を指示する。本実施例において、端末は、ランダムアクセス要求プリアンブルシーケンス（ｐｒｅａｍｂｌｅ）を送信することによって基地局にｏｔｈｅｒ  ＳＩを要求する必要があるため、他のシステム情報（ｏｔｈｅｒ  ＳＩ）における設定要求情報にｐｒｅａｍｂｌｅの送信設定が含まれる。図３に示すように、高周波のＲＭＳＩをビーム形態で送信する必要があるので、すなわち所望のカバレッジの完全なカバーを完成しようとする場合、異なるビーム方向において送信する必要がある。端末は、他のシステム情報を要求する場合、基地局が当該端末の所在するビーム方向（或いはポート）で前記他のシステム情報を送信するように、基地局へどの下り送信ビーム（またはポート）に所在するかを指示する必要がある。本実施例において、端末と基地局側の相互作用がいずれも成立すれば、ＲＭＳＩを下り送信するポートは、１つのｐｒｅａｍｂｌｅの時間・周波数領域リソースに一意に対応する。すなわち、端末は、ＲＭＳＩが対応するｐｒｅａｍｂｌｅの時間・周波数領域リソースでｐｒｅａｍｂｌｅを送信し、基地局において現在の端末が所在する下りビーム（またはポート）を判断することができる。例えば、端末は、ｂｅａｍ２でＲＭＳＩを受信した場合、ｂｅａｍ  ２におけるＲＭＳＩ設定に基づき、それに対応するｐｒｅａｍｂｌｅ  ｒｅｓｏｕｒｃｅがｐｒｅａｍｂｌｅ  ｒｅｓｏｕｒｃｅ  ２であることを分かり、端末は、ｐｒｅａｍｂｌｅ  ｒｅｓｏｕｒｃｅ  ２でｐｒｅａｍｂｌｅを送信する。それに応じて、基地局は、ｐｒｅａｍｂｌｅ  ｒｅｓｏｕｒｃｅ  ２でｐｒｅａｍｂｌｅを受信した場合、ｂｅａｍ２でのＵＥがｏｔｈｅｒ  ＳＩを必要とすることを確定し、続いて、基地局は、ｂｅａｍ２でｏｔｈｅｒ  ＳＩを送信する。
【００８８】
また、ｏｔｈｅｒ  ＳＩは、システムにより予め複数種に分けられ、各種の他のシステム情報は、１つの専用ｐｒｅａｍｂｌｅシーケンスに対応する。端末および基地局は、いずれも、上記他のシステム情報の区分形態、および各種の他のシステム情報と専用ｐｒｅａｍｂｌｅシーケンスとの対応関係を分かることができる。この際に、ある他のシステム情報を要求しようとする場合、端末は、この他のシステム情報が対応するｐｒｅａｍｂｌｅシーケンスを選択して送信する。
【００８９】
基地局は、受信したｐｒｅａｍｂｌｅシーケンスに基づき、どちらの下り送信ポート（ビーム）でどちらのｏｔｈｅｒ  ＳＩを送信する必要があるかを確定する。この際に、基地局は、これらのｏｔｈｅｒ  ＳＩを送信するリソース、例えばｏｔｈｅｒ  ＳＩの送信周期性、タイムウィンドウ、および周波数領域位置をさらに確定するとともに、これらの情報をランダムアクセスレスポンス（ＲＡＲ）に含ませて端末にフィードバックし、上記ｏｔｈｅｒ  ＳＩのリソース設定に応じてｏｔｈｅｒ  ＳＩを送信することができる。
【００９０】
ｏｔｈｅｒ  ＳＩ要求を送信した端末は、まずＲＡＲを受信し、ｏｔｈｅｒ  ＳＩのリソース設定を確定する。さらに、本実施例において、他のシステム情報が物理下り共用チャネルに運ばれている。具体的には、ｏｔｈｅｒ  ＳＩの送信タイムウィンドウ内に１つまたは複数のスロットＳｌｏｔが含まれる。端末は、ＲＡＲから取得されたｏｔｈｅｒ  ＳＩの送信周期性、タイムウィンドウ、および周波数領域位置に基づき、所定の周波数領域位置、および送信タイムウィンドウの各ｓｌｏｔ内にＳＩ−ＲＮＴＩを用いて物理下り制御チャネル（ＰＤＣＣＨ）において下り制御情報（ＤＣＩ）をブラインド検出することで、このｓｌｏｔ内の物理下り共用チャネル（ＰＤＳＣＨ）において端末が要求したｏｔｈｅｒ  ＳＩが運ばれているか否かを確定する。端末は、ｏｔｈｅｒ  ＳＩの送信タイムウィンドウ内のあるｓｌｏｔ内にｏｔｈｅｒ  ＳＩを取得する。
【００９１】
端末がｏｔｈｅｒ  ＳＩを要求する下り送信ポート（ビーム）が複数である場合、基地局は、ｏｔｈｅｒ  ＳＩ送信ニーズがある複数の下り送信ポート（ビーム）でｏｔｈｅｒ  ＳＩを送信し、基地局は、どちらのｓｌｏｔでどちらのポート（ビーム）のｏｔｈｅｒ  ＳＩを送信するかを柔軟に確定することができる。また、異なる端末により要求されるｏｔｈｅｒ  ＳＩのタイプは、異なってもよいし、異なるポート（ビーム）が対応するｓｌｏｔ内に運ばれるｏｔｈｅｒ  ＳＩのタイプは、異なってもよい。
【００９２】
本実施例において、端末と基地局側の相互作用がいずれも成立すれば、実施例と類似するように、ある一方側または両側の相互作用が成立しない場合、より多くのｐｒｅａｍｂｌｅリソースを設定して下り送信ポート（ビーム）に対応させて、ある一方側または両側のポート（ビーム）のスイーピング送信を完成する。
【００９３】
本実施例において、ＲＭＳＩからｏｔｈｅｒ  ＳＩ要求ｐｒｅａｍｂｌｅ送信設定が指示される。端末は、ＲＭＳＩにおける設定情報を取得した後、取得しようとするｏｔｈｅｒ  ＳＩが対応するｐｒｅａｍｂｌｅを送信する。ＲＡＲを受信し、ｏｔｈｅｒ  ＳＩの送信リソース設定情報をＲＡＲから取得し、所定のｏｔｈｅｒ  ＳＩの送信リソース設定情報において下り制御情報をブラインド検出する。
【００９４】
本実施例のフローが上記実施例と一致し、その区別は、以下の通りである。基地局は、ＲＡＲから、ｏｔｈｅｒ  ＳＩの送信リソース設定情報であって後続のｏｔｈｅｒ  ＳＩの具体的な送信リソースを直接に指示する。この際に、端末は、送信タイムウィンドウ内に各ｓｌｏｔ内の下り制御情報をブラインド検出することによってｏｔｈｅｒ  ＳＩが含まれるか否かを確定する必要がなく、直接に所定のｓｌｏｔ内にＤＣＩをブラインド検出し、ＤＣＩからｏｔｈｅｒ  ＳＩのＰＤＳＣＨにおけるスケジューリング情報を得、スケジューリング情報に基づいてｏｔｈｅｒ  ＳＩを受信する。
【００９５】
なお、当該他のシステム情報（ｏｔｈｅｒ  ＳＩ）における設定要求情報は、それぞれ、残りの最小化システム情報（ＲＭＳＩ）により設定され、専用ＲＲＣ情報により設定されてもよい。
【００９６】
本実施例において、以下の３種の仕組みが共存し、端末は、他のシステム情報（ｏｔｈｅｒ  ＳＩ）における設定要求情報の受信に基づいてｏｔｈｅｒ  ＳＩの取得形態を確定する。
【００９７】
仕組み１：
他のシステム情報（ｏｔｈｅｒ  ＳＩ）における設定要求情報に、他のシステム情報における要求情報の送信設定（ｐｒｅａｍｂｌｅの送信設定）、およびｏｔｈｅｒ  ＳＩの送信周期性、タイムウィンドウ、周波数領域位置などの情報が含まれる。端末は、ｏｔｈｅｒ  ＳＩにおける設定要求情報を取得した後、ｐｒｅａｍｂｌｅの送信設定に基づいてｐｒｅａｍｂｌｅを送信し、下り送信ビーム、および取得しようとするｏｔｈｅｒ  ＳＩのタイプを基地局へ指示し、ｏｔｈｅｒ  ＳＩの送信タイムウィンドウ内の各ｓｌｏｔのＰＤＣＣＨにおいてｏｔｈｅｒ  ＳＩのＤＣＩをブラインド検出する必要があることを黙認し、ＤＣＩに運ばれたｏｔｈｅｒ  ＳＩのスケジューリング情報に基づき、ＰＤＳＣＨ内に運ばれたｏｔｈｅｒ  ＳＩを受信する。
【００９８】
仕組み２：
他のシステム情報（ｏｔｈｅｒ  ＳＩ）における設定要求情報にｏｔｈｅｒ  ＳＩの送信周期性、タイムウィンドウ、および周波数領域位置などの情報が含まず、ｏｔｈｅｒ  ＳＩにおける要求情報の送信設定、およびランダムアクセスレスポンスＲＡＲの受信設定が含まれる場合、端末は、ＲＡＲの受信設定に基づき、ＲＡＲを受信し、さらにｏｔｈｅｒ  ＳＩのスケジューリング情報を取得する必要があることを黙認する。この際に、ＲＡＲに含まれたｏｔｈｅｒ  ＳＩのスケジューリング情報は、ｏｔｈｅｒ  ＳＩの送信周期性、タイムウィンドウ、および周波数領域位置などの情報であってもよいか、或いは、ｏｔｈｅｒ  ＳＩの具体的なスケジューリング情報（すなわち、ｏｔｈｅｒ  ＳＩがどちらのｓｌｏｔ内に運ばれるかことに具体化する）であってもよい。前者であれば、端末は、依然としてｏｔｈｅｒ  ＳＩの送信タイムウィンドウ内の各ｓｌｏｔのＰＤＣＣＨにおいてｏｔｈｅｒ  ＳＩのＤＣＩをブラインド検出し、ＤＣＩに運ばれたｏｔｈｅｒ  ＳＩのスケジューリング情報に基づき、ＰＤＳＣＨ内に運ばれたｏｔｈｅｒ  ＳＩを受信する必要がある。ＲＡＲにおけるｏｔｈｅｒ  ＳＩのスケジューリング情報がｏｔｈｅｒ  ＳＩの具体的なスケジューリング情報であれば、端末は、直接に、スケジューリング情報により指示されるｓｌｏｔ内のＰＤＣＣＨにおいてＤＣＩをブラインド検出し、ＤＣＩに運ばれたｏｔｈｅｒ  ＳＩのスケジューリング情報に基づき、ＰＤＳＣＨ内に運ばれたｏｔｈｅｒ  ＳＩを受信する。
【００９９】
仕組み３：
他のシステム情報（ｏｔｈｅｒ  ＳＩ）における設定要求情報に、ｏｔｈｅｒ  ＳＩ要求情報の送信設定、ｏｔｈｅｒ  ＳＩの送信周期性、タイムウィンドウ、および周波数領域位置などの情報が含まれ、さらにランダムアクセスレスポンスＲＡＲの受信設定が含まれる場合、端末は、ｏｔｈｅｒ  ＳＩ要求情報の送信設定に応じてｐｒｅａｍｂｌｅを送信した後、以下の２つのオプションがある。オプション１は、ｏｔｈｅｒ  ＳＩの送信タイムウィンドウ内の各ｓｌｏｔのＰＤＣＣＨにおいてｏｔｈｅｒ  ＳＩのＤＣＩをブラインド検出し、ＤＣＩに運ばれたｏｔｈｅｒ  ＳＩのスケジューリング情報に基づいてＰＤＳＣＨ内に運ばれたｏｔｈｅｒ  ＳＩを受信することである。オプション２は、ＲＡＲの受信を試してもよく、受信したＲＡＲに具体的なスケジューリング情報があれば、タイムウィンドウ内の複数のｓｌｏｔに対するブラインド検出を回避し、直接にスケジューリング情報により指示されるｓｌｏｔ内のＰＤＣＣＨにおいてＤＣＩをブラインド検出し、ＤＣＩに運ばれたｏｔｈｅｒ  ＳＩのスケジューリング情報に基づいてＰＤＳＣＨ内に運ばれたｏｔｈｅｒ  ＳＩを受信することができる。ＲＡＲを受信していない場合、オプション１に基づいてタイムウィンドウ内の複数のｓｌｏｔをブラインド検出する。
【０１００】
なお、本実施例は、情報の送信方法をさらに提供する。図８は、本発明の実施例に係る情報の送信方法の第２のフローチャートである。当該方法ステップは、
端末は、ネットワーク側が送信した他のシステム情報における設定要求情報を受信し、他のシステム情報における設定要求情報は、他のシステム情報における要求情報の送信設定を含み、他のシステム情報における要求情報は、端末が他のシステム情報の取得を要求する時にネットワーク側へ送信する情報であるステップＳ８０２と、
端末は、ネットワーク側が他のシステム情報における要求情報により指示される下り送信ポートで送信した他のシステム情報を受信するステップＳ８０４と、を含む。
【０１０１】
本実施例において、言及する他のシステム情報における設定要求情報、および他のシステム情報における要求情報などの関連記載は、いずれも上記実施例と一致し、ここで繰り返し説明しない。
【０１０２】
上述した実施例の説明により、当業者にとっては、上述した実施例に係る方法は、ソフトウェアプラス必要となる汎用ハードウェアプラットフォームの形態で実現されてもよく、もちろんハードウェアで実現されてもよいが、多数の場合で、前者がより良い実施形態であることをはっきりと知ることができる。このような理解を基に、本発明の技術方案、或いは従来技術に貢献する部分は、実質的に、ソフトウェア製品の形態で表現されてもよい。当該コンピュータソフトウェア製品は、１つの記憶媒体（例えば、ＲＯＭ／ＲＡＭ、磁気ディスク、コンパクトディスク）に記憶され、１台の端末機器（携帯電話、コンピュータ、サーバー、またはネットワーク機器などであってもよい）が本発明の各実施例に記載される方法を実行するために用いられる幾つかの指令を含む。
【０１０３】
本実施例において情報の送信装置がさらに提供される。当該装置は、上述した実施例および好ましい実施形態を実現するために用いられ、既に説明されたものについて繰り返し説明しない。以下に用いられる「モジュール」という用語とは、所定の機能を実現できるソフトウェアおよび／またはハードウェアの組み合わせを指す。以下の実施例に記載される装置は、ソフトウェアで実現されることが好ましいが、ハードウェア、またはソフトウェアとハードウェアの組み合わせによる実現は、可能で、構想されるものである。
【０１０４】
図９は、本発明の実施例に係る情報の送信装置の第１の構造ブロック図である。当該装置は、ネットワーク側に適用される。図９に示すように、当該装置は、
【０１０５】
端末へ他のシステム情報における設定要求情報を送信し、他のシステム情報における設定要求情報は、他のシステム情報における要求情報の送信設定を含み、他のシステム情報における要求情報は、端末が他のシステム情報の取得を要求する時に前記ネットワーク側へ送信する情報であるように構成される第１の送信モジュール９２と、
第１の送信モジュール９２にカップリング接続され、他のシステム情報における要求情報により指示される下り送信ポートで他のシステム情報を送信するように構成される第２の送信モジュール９４と、を含む。
【０１０６】
なお、本実施例に係る他のシステム情報における設定要求情報は、残りの最小化システム情報により設定されるか、或いは専用無線リソース制御ＲＲＣシグナリングにより設定される。
【０１０７】
また、本実施例に係る他のシステム情報における要求情報は、システムにより予め定義された１つまたは複数のプリアンブルリソースで送信するプリアンブルシーケンスである。そのうち、プリアンブルリソースは、時間領域、周波数領域、コード領域リソースのうちの少なくとも１つを含む。そのため、他のシステム情報が１種または複数種に分けられた場合、１つのプリアンブルリソースは、１種の他のシステム情報に対応する。
【０１０８】
好ましくは、本実施例における装置は、第２の送信モジュール９４にカップリング接続され、他のシステム情報における要求情報から下り送信ポート、および端末が要求する他のシステム情報のタイプを識別するように構成される識別モジュール９６をさらに含む。
【０１０９】
また、本発明の他の好ましい実施形態において、本実施例に係る他のシステム情報における設定要求情報は、各種の他のシステム情報の送信周期性、他のシステム情報の送信タイムウィンドウ、他のシステム情報の周波数領域位置、他のシステム情報における送信リソース情報、他のシステム情報が送信リソースで送信されるか否かこと、送信された他のシステム情報のタイプのうちの少なくとも１つをさらに含む。
【０１１０】
上記他のシステム情報における設定要求情報を基に、本実施例における第２の送信モジュール９４は、さらに、他のシステム情報の送信周期性、他のシステム情報の送信タイムウィンドウ、および他のシステム情報の周波数領域位置に基づき、他のシステム情報における要求情報により指示される下り送信ポートで他のシステム情報を送信するように構成される。
【０１１１】
本実施例の別の好ましい実施形態において、本実施例に係る他のシステム情報における設定要求情報は、ランダムアクセスレスポンスＲＡＲの受信設定をさらに含む。それを基に、本実施例における第２の送信モジュール９４は、さらに、他のシステム情報をランダムアクセスレスポンスＲＡＲに含ませて送信するように構成される。
【０１１２】
そのうち、当該ランダムアクセスレスポンスは、他のシステム情報の送信周期性、他のシステム情報の送信タイムウィンドウ、他のシステム情報の周波数領域位置、他のシステム情報における送信リソース情報、送信された他のシステム情報のタイプのうちの少なくとも１つをさらに含む。
【０１１３】
当該ランダムアクセスレスポンスを基に、本実施例における第２の送信モジュール９４は、さらに、他のシステム情報の送信周期性、タイムウィンドウ、および周波数領域位置に基づいて他のシステム情報を送信するように構成される。
【０１１４】
なお、上述した各モジュールは、ソフトウェアまたはハードウェアにより実現され、後者に対しては、上述したモジュールがそれぞれ同一のプロセッサに位置するか、或いは上述した各モジュールがいずれの組み合わせの形態でそれぞれ異なるプロセッサに位置するように実現されてもよいが、それに限定されない。また、本実施例は、方法実施例１に対応する装置実施例である。
【０１１５】
図１０は本発明の実施例に係る情報の送信装置の第２の構造ブロック図である。当該装置は端末側に適用される。図１０に示すように、当該装置は、
ネットワーク側が送信した他のシステム情報における設定要求情報を受信し、他のシステム情報における設定要求情報は、他のシステム情報における要求情報の送信設定を含み、他のシステム情報における要求情報は、端末が他のシステム情報の取得を要求する時にネットワーク側へ送信する情報であるように構成される第１の受信モジュール３１と、
第１の受信モジュール３１にカップリング接続され、ネットワーク側が他のシステム情報における要求情報により指示される下り送信ポートで送信した他のシステム情報を受信するように構成される第２の受信モジュール３２を含む。
【０１１６】
本発明の実施例は、記憶されたプログラムを含む記憶媒体であって、上記プログラムが作動されると、上述したいずれか一項に記載の方法を実行する記憶媒体をさらに提供する。
【０１１７】
好ましくは、本実施例において、上記記憶媒体は、
端末へ他のシステム情報における設定要求情報を送信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であるＳ１と、
前記他のシステム情報における要求情報により指示される下り送信ポートで他のシステム情報を送信するＳ２と、を実行するためのプログラムコードを記憶するように構成されてもよい。
【０１１８】
好ましくは、本実施例において、上述した記憶媒体は、Ｕフラッシュドライブ、読み取り専用メモリ（Ｒｅａｄ−Ｏｎｌｙ  Ｍｅｍｏｒｙ、ＲＯＭと略称される）、ランダムアクセスメモリ（Ｒａｎｄｏｍ  Ａｃｃｅｓｓ  Ｍｅｍｏｒｙ、ＲＡＭと略称される）、モバイルハードディスク、磁気ディスクまたはコンパクトディスクなどのプログラムコードを記憶可能な媒体を含んでもよいが、それに限定されない。
【０１１９】
本発明の実施例は、プログラムを実行するためのプロセッサであって、当該プログラムが作動されると、上述したいずれか一項に記載の方法におけるステップを実行するプロセッサをさらに提供する。
【０１２０】
好ましくは、本実施例において、上記プログラムは、
端末へ他のシステム情報における設定要求情報を送信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であるＳ１と、
前記他のシステム情報における要求情報により指示される下り送信ポートで他のシステム情報を送信するＳ２とを実行するために用いられる。
【０１２１】
好ましくは、本実施例における具体的な例示は、上記実施例および好ましい実施形態に説明された例示を参照してもよく、ここで繰り返し説明しない。
【０１２２】
明らかに、当業者であれば、上述した本発明の各モジュールまたは各ステップは、汎用の計算装置により実現されてもよく、これらは単一の計算装置に集積されてもよいか、或いは２つの計算装置からなるネットワークに分布されてもよく、好ましくは、これらは計算装置の実行可能プログラムコードで実現されてもよいことで、記憶装置に記憶されて計算装置により実行されてもよく、且つある場合に、ここでの順番と異なるもので、示されているか或いは記載されているステップを実行してもよく、或いはこれらをそれぞれ各集積回路モジュールとして製作し、或いはこれらうちの２つのモジュールまたはステップを単一の集積回路モジュールとして製作することにより実現されてもよいことを理解すべきである。このように、本発明は、いずれの特定のハードウェアとソフトウェアとの組み合わせに限定されない。
【０１２３】
以上の説明は、本発明の好ましい実施例に過ぎず、本発明を限定するためのものではない。当業者にとって、本発明は、様々な変更および変化を行うことができる。本発明の原則以内に行われるいずれの修正、等価置換、改良などは、本発明の保護範囲に含まれるべきである。    
【産業上の利用可能性】
【０１２４】
本発明の実施例によれば、ネットワーク側は、端末へ他のシステム情報における設定要求情報を送信し、そのうち、他のシステム情報における設定要求情報は、他のシステム情報における要求情報の送信設定を含み、他のシステム情報における要求情報は、端末が他のシステム情報の取得を要求する時にネットワーク側へ送信する情報であり、さらにネットワーク側は、他のシステム情報における要求情報により指示される下り送信ポートで他のシステム情報を送信する。これから分かるように、ネットワーク側は、他のシステム情報を端末側に効果的に送信することができ、関連技術において如何に他のシステム情報を送信するかに対する解決策が未だ存在していないという問題を解決することができる。
【手続補正２】
【補正対象書類名】特許請求の範囲
【補正対象項目名】全文
【補正方法】変更
【補正の内容】
【特許請求の範囲】
【請求項１】
ネットワーク側は、端末へ他のシステム情報における設定要求情報を送信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であるステップ（Ｓ２０２）と、
ネットワーク側は、前記他のシステム情報における要求情報により指示される下り送信ポートで前記他のシステム情報を送信するステップ（Ｓ２０４）と、を含む、ことを特徴とする情報の送信方法。
【請求項２】
前記他のシステム情報における設定要求情報は、残りの最小化システム情報により設定されるか、或いは、専用無線リソース制御ＲＲＣシグナリングにより設定される、請求項１に記載の情報の送信方法。
【請求項３】
前記他のシステム情報における要求情報は、システムにより予め定義された１つまたは複数のプリアンブルリソースで送信されるプリアンブルシーケンスであり、
前記プリアンブルリソースは、時間領域リソース、周波数領域リソース、コード領域リソースのうちの少なくとも１つを含む、請求項１に記載の情報の送信方法。
【請求項４】
前記他のシステム情報は、１種または複数種に分けられ、
１つのプリアンブルリソースは、１種の前記他のシステム情報に対応する、請求項３に記載の情報の送信方法。
【請求項５】
前記方法は、
前記ネットワーク側が他のシステム情報における要求情報から前記下り送信ポートおよび前記端末が要求する他のシステム情報のタイプを識別することをさらに含む、請求項１に記載の情報の送信方法。
【請求項６】
前記他のシステム情報における設定要求情報は、各種の他のシステム情報の送信周期性、他のシステム情報の送信タイムウィンドウ、他のシステム情報の周波数領域位置、他のシステム情報における送信リソース情報、他のシステム情報が送信リソースで送信されるか否かこと、送信された他のシステム情報のタイプのうちの少なくとも１つをさらに含む、請求項１に記載の情報の送信方法。
【請求項７】
端末は、ネットワーク側が送信した他のシステム情報における設定要求情報を受信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であるステップ（Ｓ８０２）と、
前記端末は、ネットワーク側が前記他のシステム情報における要求情報により指示される下り送信ポートで送信した他のシステム情報を受信するステップ（Ｓ８０４）と、を含む、ことを特徴とする情報の送信方法。
【請求項８】
前記他のシステム情報における設定要求情報は、残りの最小化システム情報により設定されるか、或いは、専用無線リソース制御ＲＲＣシグナリングにより設定される、請求項７に記載の情報の送信方法。
【請求項９】
前記他のシステム情報における設定要求情報は、各種の他のシステム情報の送信周期性、他のシステム情報の送信タイムウィンドウ、他のシステム情報の周波数領域位置、他のシステム情報における送信リソース情報、他のシステム情報が送信リソースで送信されるか否かこと、送信された他のシステム情報のタイプのうちの少なくとも１つをさらに含む、請求項７に記載の情報の送信方法。
【請求項１０】
端末へ他のシステム情報における設定要求情報を送信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であるように構成される第１の送信モジュール（９２）と、
前記他のシステム情報における要求情報により指示される下り送信ポートで他のシステム情報を送信するように構成される第２の送信モジュール（９４）と、を含む、ことを特徴とする情報の送信装置。
【請求項１１】
他のシステム情報における要求情報から、前記下り送信ポート、および前記端末が要求する他のシステム情報のタイプを識別するように構成される識別モジュールをさらに含む、請求項１０に記載の情報の送信装置。
【請求項１２】
前記他のシステム情報における設定要求情報は、各種の他のシステム情報の送信周期性、他のシステム情報の送信タイムウィンドウ、他のシステム情報の周波数領域位置、他のシステム情報における送信リソース設定情報、他のシステム情報が前記送信リソースで送信されるか否かこと、送信された他のシステム情報のタイプのうちの少なくとも１つをさらに含む、請求項１０に記載の情報の送信装置。
【請求項１３】
ネットワーク側が送信した他のシステム情報における設定要求情報を受信し、前記他のシステム情報における設定要求情報は、他のシステム情報における要求情報の送信設定を含み、前記他のシステム情報における要求情報は、前記端末が前記他のシステム情報の取得を要求する時に前記ネットワーク側へ送信する情報であるように構成される第１の受信モジュール（３１）と、
ネットワーク側が前記他のシステム情報における要求情報により指示される下り送信ポートで送信した他のシステム情報を受信するように構成される第２の受信モジュール（３２）と、を含む、ことを特徴とする情報の送信装置。
【請求項１４】
前記他のシステム情報における設定要求情報は、各種の他のシステム情報の送信周期性、他のシステム情報の送信タイムウィンドウ、他のシステム情報の周波数領域位置、他のシステム情報における送信リソース情報、他のシステム情報が送信リソースで送信されるか否かこと、送信された他のシステム情報のタイプのうちの少なくとも１つをさらに含む、請求項１３に記載の情報の送信装置。
【請求項１５】
記憶されたプログラムを含む記憶媒体であって、
前記プログラムが作動されると、請求項１〜９のいずれか一項に記載の情報の送信方法を実行する、ことを特徴とする記憶媒体。
【国際調査報告】
2020523948.tif 000013
2020523948.tif 000014
2020523948.tif 000015
2020523948.tif 000016